(57)【要約】【課題】【解決手段】カメラモジュールの一実施例は、上部及び下部が開放し、側面に第１ホール及び前記第１ホールと対面する第２ホールを含むホルダー、前記ホルダーの上部に結合される第１レンズ部、前記ホルダーの下部に結合される第２レンズ部、及び前記第１レンズ部と第２レンズ部の間で、前記ホルダーの第１ホール及び第２ホールに配置され、前記ホルダーの側面に突出して配置される液体レンズを含み、前記液体レンズの少なくとも一部は前記ホルダーの内面から離隔することができる。【選択図】  図３３
2019515342.tif 000002
【特許請求の範囲】
【請求項１】
第１ホールを有する第１側面及び前記第１ホールと対面する第２ホールを有する第２側面を含むホルダーと、
前記ホルダー内に配置される第１レンズ部と、
前記ホルダー内に配置される第２レンズ部と、
前記第１レンズ部と前記第２レンズ部の間に配置され、前記ホルダーの第１ホール及び第２ホール内に少なくとも一部が配置される液体レンズとを含み、
光軸方向を基準に、前記液体レンズの厚さは前記ホルダーの第１ホールのサイズより小さい、カメラモジュール。
【請求項２】
前記液体レンズの一部は前記第１ホール及び前記第２ホールを通じてホルダーの側面に突出する、請求項１に記載のカメラモジュール。
【請求項３】
前記ホルダーは、
前記第１ホールと第２ホールの間に前記液体レンズが配置される第２領域と、
前記第２領域上に前記第１レンズ部が配置される第１領域と、
前記第２領域の下に前記第２レンズ部が配置される第３領域と、を含む、請求項２に記載のカメラモジュール。
【請求項４】
前記ホルダーの側面及び上面の少なくとも一部を覆うカバーをさらに含み、前記カバーは前記第１ホール及び第２ホールを覆う、請求項１に記載のカメラモジュール。
【請求項５】
前記第１ホールから前記第２ホールに向かう方向に、前記液体レンズの長さは前記第１レンズ部及び第２レンズ部の長さより長い、請求項１に記載のカメラモジュール。
【請求項６】
前記液体レンズは、
第１液体及び第２液体が配置されるキャビティを含む第１プレートと、
前記第１プレート上に配置される第１電極と、
前記第１プレートの下に配置される第２電極と、を含む、請求項３に記載のカメラモジュール。
【請求項７】
前記液体レンズは、
前記第１電極の上部に配置される第２プレートと、
前記第２電極の下部に配置される第３プレートとをさらに含み、
前記第２プレートと前記第３プレートはそれぞれ前記ホルダーとエポキシでボンディングされる、請求項６に記載のカメラモジュール。
【請求項８】
前記第２プレート及び第３プレートの少なくとも一つは、前記第１領域及び前記第３領域の少なくとも一つの領域から離隔する、請求項６に記載のカメラモジュール。
【請求項９】
前記第１レンズ部は複数のレンズを含み、
前記第１レンズ部の前記複数のレンズのうち前記液体レンズと最も近接したレンズの光軸に垂直な方向への長さは、前記第１領域に最も近接した部分の前記キャビティの直径より大きい、請求項６に記載のカメラモジュール。
【請求項１０】
前記第２レンズ部は複数のレンズを含み、
前記第２レンズ部の前記複数のレンズのうち前記液体レンズと最も近接したレンズの光軸に垂直な方向への長さは、前記第３領域と最も近接した部分の前記キャビティの直径より大きい、請求項６に記載のカメラモジュール。
【請求項１１】
前記第１領域において前記ホルダーの内壁は段差を有し、前記第１レンズ部は前記段差と接触し、
前記第３領域において前記ホルダーの内壁は段差を有し、前記第２レンズ部は前記段差と接触する、請求項３に記載のカメラモジュール。
【請求項１２】
第１ホールを有する第１側面及び前記第１ホールと対面する第２ホールを有する第２側面を含むホルダーと、
前記ホルダー内に配置される第１レンズ部と、
前記ホルダー内に配置される第２レンズ部と、
前記第１レンズ部と第２レンズ部の間に配置され、前記ホルダーの第１ホール及び２ホールを通じて前記ホルダーの側面に突出する液体レンズとを含み、
光軸方向を基準に、前記液体レンズの厚さは前記ホルダーの第１ホールのサイズより小さいカメラモジュールと、
前記カメラモジュールを介して入射したイメージを電気的信号に変換する制御部、及び前記電気的信号によって色が変化する複数のピクセルからなるディスプレイモジュールとを含む、光学機器。
【発明の詳細な説明】
【技術分野】
【０００１】
実施例はカメラモジュールに関し、より詳しくは液体レンズを含むカメラモジュール及びこれを含む光学機器に関する。
【背景技術】
【０００２】
携帯用装置の使用者は高解像度を有しながらもサイズが小さくて多様な撮影機能（オートフォーカシング（Ａｕｔｏ−Ｆｏｃｕｓｉｎｇ、ＡＦ）機能、手ぶれ補正又はオプティカルイメージスタビライゼーション（Ｏｐｔｉｃａｌ  Ｉｍａｇｅ  Ｓｔａｂｉｌｉｚｅｒ、ＯＩＳ）機能など）を有する光学機器を要求している。このような撮影機能は多数のレンズを組み合わせて直接レンズを動かす方法で具現することができるが、レンズの数を増加させる場合、光学機器のサイズが大きくなることがある。
【０００３】
オートフォーカス機能及び手ぶれ補正機能は、レンズホルダーに固定されて光軸が整列された多数のレンズモジュールが、光軸方向に又は光軸に垂直な方向に移動するとかチルト（Ｔｉｌｔｉｎｇ）することによって行い、レンズモジュールを駆動させるために別途のレンズ駆動装置が使われる。しかし、レンズ駆動装置は電力消耗が高く、レンズモジュールの駆動のためにマグネットとコイルなどの駆動部材が必要であり、レンズモジュールの駆動範囲に対応してレンズモジュールの駆動のための余裕空間が必要であるので、カメラモジュール及び光学機器の総厚さが増加する。
【０００４】
したがって、２種液体の界面の曲率を電気的に調節してオートフォーカス機能及び手ぶれ補正機能を行う液体レンズに対して研究されている。
【発明の概要】
【発明が解決しようとする課題】
【０００５】
本発明の実施例は、簡単な構造を有するレンズ及びこれを含むカメラモジュールを提供しようとする。
【０００６】
また、本発明の実施例は、小型化した構造を有するレンズアセンブリー及びこれを含むカメラモジュールを提供しようとする。
【０００７】
また、本発明の実施例は、液体レンズが中間に位置してモジュールのサイズを減らすことができるとともに単一コアによってレンズを一体に整列することができる液体レンズ及びこれを含むレンズモジュールとレンズモジュールの製造方法を提供しようとする。
【０００８】
また、本発明の実施例は、レンズを挿入する場合、隣り合うレンズ間の物理的干渉を最小化することができる液体レンズ及びこれを含むレンズモジュールを提供しようとする。
【０００９】
また、本発明の実施例は、このような液体レンズ及びレンズモジュールを含むカメラモジュール及び光学機器を提供しようとする。
【００１０】
また、本発明の実施例は、液体レンズを含むカメラモジュール及び光学装置において、液体レンズをレンズアセンブリー内に安定的に配置しようとする。
【００１１】
また、本発明の実施例は、液体レンズを含むカメラモジュール及び光学装置において、液体レンズを除いた残りの光学レンズの性能評価が容易になるようにしようとする。
【００１２】
実施例が達成しようとする技術的課題は以上で言及した技術的課題に制限されず、言及しなかった他の技術的課題は下記の記載から実施例が属する技術分野で通常の知識を有する者に明らかに理解可能であろう。
【課題を解決するための手段】
【００１３】
レンズの一実施例は、中空が形成されたコアと、前記コアに配置される電極層と、前記コアの上側に結合される上部ガラスと、前記コアの下側に結合される下部ガラスと、前記コアの中空に配置される液体レンズ部とを含み、前記電極層は前記コアの上面及び下面にそれぞれ配置され、前記コアの上面及び下面にそれぞれ配置される前記電極層を連結する貫通口を含むものであり得る。
【００１４】
前記電極層は前記コアの前記中空に伸びて形成されるものであり得る。
【００１５】
前記コアは複数の端子を備えるパターン部を含むものであり得る。
【００１６】
前記液体レンズ部は、導電性液体からなり、前記電極層と電気的に連結される第１液体層と、非導電性液体からなり、前記第１液体層と境界を成すように配置される第２液体層とを含むものであり得る。
【００１７】
レンズの一実施例は、前記電極層と前記第２液体層の間に配置される絶縁層をさらに含むものであり得る。
【００１８】
前記電極層は、前記コアの上面、下面、前記中空の表面及び前記貫通口の表面に蒸着されるものであり得る。
【００１９】
前記パターン部は、前記電極層が蒸着されて形成されるものであり得る。
【００２０】
前記パターン部は、前記複数の端子が互いに電気的に分離されるように形成され、前記複数の端子の少なくとも一つは前記コアの上面に蒸着される前記電極層及び前記貫通口に電気的に連結されるものであり得る。
【００２１】
前記パターン部は、前記下部ガラスと結合される第１パターン部と、前記下部ガラスから露出される第２パターン部とを含むものであり得る。
【００２２】
前記第２パターン部は前記下部ガラスの一側に露出されるように構成されるものであり得る。
【００２３】
前記第２パターン部は、外部プリント基板と電気的に連結されるものであり得る。
【００２４】
前記端子は、前記コアの上面に形成される前記電極層と、前記貫通口に形成される前記電極層と電気的に連結される第１端子とを含むものであり得る。
【００２５】
レンズの一実施例は、電極層が蒸着されるコアと、前記コアの上側に結合される上部ガラスと、前記コアの下側に結合される下部ガラスと、前記コアに形成される中空に配置される液体レンズ部と、前記電極層と前記液体レンズ部の間に配置される絶縁層とを含み、前記コアは、表面に前記電極層が蒸着され、前記コアの上面に配置される前記電極層と電気的に連結される貫通口と、下面に形成され、複数の端子が互いに電気的に分離されるように形成されるパターン部とを含むものであり得る。
【００２６】
カメラモジュールの一実施例は、前記レンズと、前記レンズと光軸方向に対向するように備えられるイメージセンサーとを含むものであり得る。
【００２７】
レンズアセンブリーの一実施例は、内部に貫通孔が形成されたベースと、前記貫通孔に配置される第２レンズ部と、前記第１レンズ部から離隔して前記貫通孔に配置される第２レンズ部と、前記第１レンズ部と前記第２レンズ部の間に配置される液体レンズと部を含み、前記ベースは、前記液体レンズ部が挿入される挿入口を含むものであり得る。
【００２８】
レンズアセンブリーの一実施例は、前記液体レンズ部と電気的に連結され、前記挿入口に少なくとも一部が挿入されるプリント基板をさらに含むものであり得る。
【００２９】
レンズアセンブリーの一実施例は、前記ベース及び前記プリント基板を収容するカバー部材をさらに含むものであり得る。
【００３０】
前記第１レンズ部は、前記ベース外部に突出する露出レンズを含み、前記露出レンズはガラス素材から形成されるものであり得る。
【００３１】
前記露出レンズは、露出部位にＤＬＣ（Ｄｉａｍｏｎｄ  Ｌｉｋｅ  Ｃａｒｂｏｎ）コーティング層が形成されるものであり得る。
【００３２】
前記第１レンズ部、前記第２レンズ部及び前記液体レンズ部は光軸方向に互いに対向するように配置されるものであり得る。
【００３３】
前記液体レンズ部は、液体が充填され、前記第１レンズ部を通過した光が透過する中空が形成されるものであり得る。
【００３４】
前記中空の光軸方向への面積は前記第１レンズ部又は前記第２レンズ部を形成するレンズの光軸方向への面積より小さく構成されるものであり得る。
【００３５】
前記中空は、光軸方向への面積が前記第１レンズ部から前記第２レンズ部への方向に行くほど減少するものであり得る。
【００３６】
レンズアセンブリーの他の実施例は、前方に配置される第１レンズ部と、前記第１レンズ部の後方に配置される第２レンズ部と、前記第１レンズ部と前記第２レンズ部の間に配置される液体レンズ部と、前記第１レンズ部、前記第２レンズ部及び前記液体レンズ部が装着され、側部に前記液体レンズ部が挿入される挿入口が形成されるベースと、前記液体レンズ部と電気的に連結され、一端が前記挿入口に挿入されるプリント基板と、前記ベース及び前記プリント基板を収容するカバー部材とを含み、前記第１レンズ部は、前記ベースの外部に露出される露出レンズを含み、前記露出レンズは少なくとも一部がガラス素材から形成されるものであり得る。
【００３７】
カメラモジュールの一実施例は、前記レンズアセンブリーと、前記レンズアセンブリーと光軸方向に対向するように配置されるイメージセンサーとを含むことができる。
【００３８】
本実施例の液体レンズは、伝導性液体及び非伝導性液体を収容するキャビティが位置するコアプレートと、前記コアプレートの表面にコーティングされた電極部と、前記キャビティの内面に沿って前記電極部にコーティングされた絶縁部と、前記コアプレートの上側で、前記コアプレートと結合して前記コアプレートの上面一部を露出させる少なくとも一つの凹部が形成された上部プレートと、前記コアプレートの下側で、前記コアプレートと結合して前記コアプレートの下面一部を露出させる少なくとも一つの凹部が形成された下部プレートと、前記上部プレートの上側に位置する上部基板と、前記下部プレートの下側に位置する下部基板とを含み、前記上部基板と前記電極部は前記上部プレートに形成された凹部に配置される上部導電部を介して電気的に連結され、前記上部基板と前記電極部は前記下部プレートに形成された凹部に配置される下部導電部を介して電気的に連結されることができる。
【００３９】
前記上部プレートに形成された凹部と前記下部プレートに形成された凹部は前記コアプレートのコーナー部に対応する位置に形成されることができる。
【００４０】
前記上部プレートに形成された凹部は前記上部プレートの辺に形成されて、前記下部プレートに形成された凹部は前記下部プレートの辺に形成されることができる。
【００４１】
前記上部基板及び前記下部基板のコーナー部は前記コアプレートのコーナー部より内側に位置してもよい。
【００４２】
前記上部基板及び前記下部基板の辺は前記コアプレートの辺より内側に位置してもよい。
【００４３】
前記上部プレートに形成された凹部は４個であり、前記下部プレートに形成された凹部は４個であってもよい。
【００４４】
前記凹部はホール形であってもよい。
【００４５】
前記上部基板に形成された凹部は前記上部基板を貫通するホール形態であり、前記下部基板に形成された凹部は前記下部基板を貫通するホール形態であり得る。
【００４６】
前記上部基板には前記キャビティと対応する部分から一側に伸びた上部ガイドホールが位置してもよい。
【００４７】
本実施例カメラモジュールは、上下方向に貫通するホールが形成されたレンズホルダーと、前記ホールに収容される液体レンズと、前記ホールに収容され、前記液体レンズの上部に配置される第１レンズ部と、前記ホールに収容され、前記液体レンズの下部に配置される第２レンズ部と、前記レンズホルダーの側面の一部を開放して、前記液体レンズが挿入される挿入ホールとを含み、前記液体レンズは、伝導性液体及び非伝導性液体を収容するキャビティが位置するコアプレートと、前記コアプレートの表面にコーティングされた電極部と、前記キャビティの内面に沿って前記電極部にコーティングされた絶縁部と、前記コアプレートの上側で、前記コアプレートと結合され、前記コアプレートの上面一部を露出させる少なくとも一つの凹部が形成された上部プレートと、前記コアプレートの下側で、前記コアプレートと結合され、前記コアプレートの下面一部を露出させる少なくとも一つの凹部が形成された下部プレートと、前記上部プレートの上側に位置する上部基板と、前記下部プレートの下側に位置する下部基板とを含み、前記上部基板と前記電極部は前記上部プレートに形成された凹部に配置される上部導電部を介して電気的に連結され、前記上部基板と前記電極部は前記下部プレートに形成された凹部に配置される下部導電部を介して電気的に連結されることができる。
【００４８】
前記挿入ホールは光軸方向に垂直な方向に形成されることができる。
【００４９】
前記上部基板には、前記第１レンズ部と対応する部分から一側に伸びた上部ガイドホールが位置してもよい。
【００５０】
前記第１レンズ部において最下側に配置されるレンズは、底面の外周に沿って傾斜部が位置してもよい。
【００５１】
前記傾斜部は内側に下向きに傾くように形成されることができる。
【００５２】
本実施例のレンズモジュールの製造方法は、光軸方向に形成されたホールと前記光軸に垂直な方向に側面の一部を開放させる挿入ホールが形成されたレンズホルダーを成形する第１段階と、光軸方向に前記ホールの上側に第１レンズ部を挿入する第２段階と、前記挿入ホールを通じて、前記ホールにおいて前記第１レンズ部の下側に位置するように液体レンズを挿入する第３段階と、光軸方向に前記ホールの下側に第２レンズ部を挿入する第４段階とを含むことができる。
【００５３】
本実施例のカメラモジュールは、上下方向に貫通するホールが形成されたレンズホルダーと、前記ホールに収容される液体レンズと、前記ホールに収容され、前記液体レンズの上部に配置される第１レンズ部と、前記ホールに収容され、前記液体レンズの下部に配置される第２レンズ部と、イメージセンサーが実装されたメイン基板とを含み、前記レンズホルダーは、側面の一部を開放して、前記液体レンズが挿入される挿入ホールが形成され、前記液体レンズは、伝導性液体及び非伝導性液体を収容するキャビティが位置するコアプレートと、前記コアプレートの表面にコーティングされた電極部と、前記キャビティの内面に沿って前記電極部にコーティングされた絶縁部と、前記コアプレートの上側で、前記コアプレートと結合し、前記コアプレートの上面一部を露出させる少なくとも一つの凹部が形成された上部プレートと、前記コアプレートの下側で、前記コアプレートと結合して、前記コアプレートの下面一部を露出させる少なくとも一つの凹部が形成された下部プレートと、前記上部プレートの上側に位置する上部基板と、前記下部プレートの下側に位置する下部基板とを含み、前記上部基板と前記電極部は前記上部プレートに形成された凹部に配置される上部導電部を介して電気的に連結され、前記上部基板と前記電極部は前記下部プレートに形成された凹部に配置される下部導電部を介して電気的に連結されることができる。
【００５４】
前記上部基板と前記メイン基板を電気的に連結する上部連結基板と、前記下部基板と前記メイン基板を電気的に連結する下部連結基板とをさらに含むことができる。
【００５５】
前記上部基板と前記下部基板を電気的に連結する上下部連結基板と、前記下部基板と前記メイン基板を電気的に連結する下部連結基板とをさらに含むことができる。
【００５６】
実施例は、上部及び下部が開放し、側面に第１ホール及び前記第１ホールと対面する第２ホールを含むホルダーと、前記ホルダーの上部に結合される第１レンズ部と、前記ホルダーの下部に結合される第２レンズ部と、前記第１レンズ部と第２レンズ部の間で、前記ホルダーの第１ホール及び２ホールに配置され、前記ホルダーの側面に突出して配置される液体レンズとを含み、前記液体レンズの少なくとも一部は前記ホルダーの内面から離隔している液体レンズを含むカメラモジュールを提供する。
【００５７】
ホルダーの内部には前記第１ホールと第２ホールを連結する貫通ホールが形成され、前記貫通ホール内には、前記第１レンズ部が配置される第１領域、前記液体レンズが配置される第２領域及び前記第２レンズ部が配置される第３領域を含むことができる。
【００５８】
ホルダーの側面一部及び上面一部を覆うカバーをさらに含み、前記カバーは前記第１ホール及び第２ホールを覆うことができる。
【００５９】
第２領域の横方向への長さは、前記第１領域の横方向の長さ及び前記第３領域の横方向への長さより大きくてもよい。
【００６０】
液体レンズは、伝導性の第１液体及び非伝導性の第２液体を収容するキャビティが形成された第１プレートと、前記第１プレートの上部に配置される第１電極と、前記第１プレートの下部に配置される第２電極と、前記第１電極の上部に配置される第２プレートと、前記第２電極の下部に配置される第３プレートとを含むことができる。
【００６１】
第２プレートと前記第３プレートはそれぞれ前記ホルダーとエポキシでボンディングされることができる。
【００６２】
第２プレート及び第３プレートの少なくとも一つは、前記ホルダーの内面から離隔することができる。
【００６３】
液体レンズと隣接した領域において前記第１レンズ部の横方向への長さは、前記第１レンズ部と隣接した領域において前記キャビティの横方向への長さより大きくてもよい。
【００６４】
液体レンズと隣接した領域において前記第２レンズ部の横方向への長さは、前記第２レンズ部と隣接した領域において前記キャビティの横方向への長さより大きくてもよい。
【００６５】
第１レンズ部は複数のレンズからなり、前記ホルダーは前記第１領域の内壁に段差構造を有し、前記段差構造に前記複数のレンズの縁部領域が接触することができる。
【００６６】
第２レンズ部は複数のレンズからなり、前記ホルダーは前記第３領域の内壁に段差構造を有し、前記段差構造に前記複数のレンズの縁部領域が接触することができる。
【００６７】
他の実施例は、上部及び下部が開放し、側面に第１ホール及び前記第１ホールと対面する第２ホールを含むホルダー、前記ホルダーの上部に結合される第１レンズ部、前記ホルダーの下部に結合される第２レンズ部、及び前記第１レンズ部と第２レンズ部の間で、前記ホルダーの第１ホール及び２ホールに配置され、前記ホルダーの側面に突出して配置される液体レンズを含み、前記液体レンズの少なくとも一部は前記ホルダーの内面から離隔している液体レンズを含むカメラモジュールと、前記カメラモジュールを介して入射したイメージを電気的信号に変換する制御部と、前記電気的信号によって色が変化する複数のピクセルからなるディスプレイモジュールとを含む光学機器を提供する。
【００６８】
さらに他の実施例は、上部及び下部が開放し、側面に第１ホール及び前記第１ホールと対面する第２ホールが備えられたホルダーを準備する段階と、前記ホルダーの上部に第１レンズ部を結合する段階と、前記ホルダーの下部に第２レンズ部を結合する段階と、前記ホルダーの第１ホール及び第２ホールの一つを通じて液体レンズを前記第１レンズ部と第２レンズ部の間に挿入する段階とを含み、前記液体レンズは、前記ホルダーの側面より突出して配置される液体レンズを含むカメラモジュールの製造方法を提供する。
【００６９】
ホルダーの側面より突出して配置される前記液体レンズの側面を支持して前記液体レンズの位置を調節する段階と、前記ホルダーと前記液体レンズを接着する段階とをさらに含む液体レンズを含むことができる。
【発明の効果】
【００７０】
実施例において、前記コアの下面に形成されるパターン部を介して前記コアの上面及び下面に形成された蒸着層を外部電源と電気的連結することができる。よって、前記コアの上面及び下面の蒸着層を外部電源と電気的に連結する構造に比べて簡単な構造を有する。
【００７１】
また、前述したレンズの簡単な構造によって、レンズ及びこれを含むカメラモジュールの構成を簡素化及び小型化することができ、これによってレンズ及びこれを含むカメラモジュールの製作時間、努力、費用を減らすことができる効果がある。
【００７２】
また、実施例において、レンズアセンブリーの外部への露出部位である露出レンズを保護するための別途のカバーガラスを使わないから、レンズアセンブリーとこれを含むカメラモジュールが装着される空間を減らすことができるので、レンズアセンブリーとカメラモジュールが装着されるデバイスのサイズを効果的に減らすことができる。
【００７３】
また、実施例においては、前記挿入口を通じて前記液体レンズ部を前記ベースに装着することができるので、レンズアセンブリーの組立が容易である効果がある。
【００７４】
また、前記挿入口を通じて前記ベースに装着される液体レンズ部の前記第１レンズ部に対する光軸方向への焦点整列を容易になすことができる。
【００７５】
また、本実施例において、レンズモジュールのレンズは単一コアによって整列されることができるので、光軸が偏向するとかずれる問題を解決することができる。
【００７６】
また、液体レンズは、レンズモジュールの中間に挿入されるので、コンパクト（ｃｏｍｐａｃｔ）な構造を有することができる。
【００７７】
また、液体レンズの挿入時、隣接したレンズとの摩擦がないので、挿入過程で発生し得る液体レンズの摩耗を防止することができる。その結果、レンズモジュールの不良率を下げることができる。
【００７８】
また、実施例による液体レンズを含むカメラモジュールは、電気で第１及び第２液体間の界面を変化させてカメラモジュールのサイズを小さくすることができ、電気でＡＦ又はＯＩＳを行って機械的にレンズを動かすよりは電力消耗が少なく、カメラモジュールのサイズを小さくすることができる。
【００７９】
また、液体レンズがホルダーに挿入されて安定的に配置されることができる。
【００８０】
また、ホルダー内に第１レンズ部と第２レンズ部を配置し、第１及び第２レンズ部の光学性能を評価した後、液体レンズを挿入することができる。
【図面の簡単な説明】
【００８１】
【図１】一実施例のレンズを示した分解斜視図である。
【図２】一実施例のレンズを示した斜視図である。
【図３】一実施例のレンズを示した側面図である。
【図４】図３の構造を説明するための概略断面図である。
【図５】一実施例のレンズを示した平面図である。
【図６】一実施例のレンズを示した底面図である。
【図７】一実施例のレンズと外部印刷回間の結合構造を説明するための図である。
【図８】一実施例のレンズと外部印刷回間の結合構造を説明するための図である。
【図９】一実施例のレンズアセンブリーを示した側断面図である。
【図１０】図９の分解斜視図である。
【図１１】一実施例のカメラモジュールを示した斜視図である。
【図１２】図１１の内部構成を示す図である。
【図１３】他の実施例のカバー部材を備えるカメラモジュールを示した斜視図である。
【図１４】図１３のカメラモジュールがデバイスに装着された状態を示した図である。
【図１５】エレクトロウェッティング現象を示した概念図である。
【図１６】本第１実施例のカメラモジュールを示した斜視図である。
【図１７】本第１実施例のカメラモジュールを示した分解斜視図である。
【図１８】本第１実施例のシールドカンを示した斜視図である。
【図１９】本第１実施例のレンズホルダーを示した斜視図である。
【図２０】本第１実施例のレンズホルダーを示した断面図である。
【図２１】本第１実施例の液体レンズを示した分解斜視図である。
【図２２】本第１実施例の液体レンズを示した平面図である。
【図２３ａ】本第１及び第２実施例において、伝導性液体と非伝導性液体がキャビティに収容されたものを示した概念断面図である。
【図２３ｂ】本第１及び第２実施例において、伝導性液体と非伝導性液体がキャビティに収容されたものを示した概念断面図である。
【図２３ｃ】本第１及び第２実施例において、伝導性液体と非伝導性液体がキャビティに収容されたものを示した概念断面図である。
【図２３ｄ】本第１及び第２実施例において、伝導性液体と非伝導性液体がキャビティに収容されたものを示した概念断面図である。
【図２３ｅ】本第１及び第２実施例において、伝導性液体と非伝導性液体がキャビティに収容されたものを示した概念断面図である。
【図２３ｆ】本第１及び第２実施例において、伝導性液体と非伝導性液体がキャビティに収容されたものを示した概念断面図である。
【図２３ｇ】本第１及び第２実施例において、伝導性液体と非伝導性液体がキャビティに収容されたものを示した概念断面図である。
【図２３ｈ】本第１及び第２実施例において、伝導性液体と非伝導性液体がキャビティに収容されたものを示した概念断面図である。
【図２３ｉ】本第１及び第２実施例において、伝導性液体と非伝導性液体がキャビティに収容されたものを示した概念断面図である。
【図２３ｊ】本第１及び第２実施例において、伝導性液体と非伝導性液体がキャビティに収容されたものを示した概念断面図である。
【図２３ｋ】本第１及び第２実施例において、伝導性液体と非伝導性液体がキャビティに収容されたものを示した概念断面図である。
【図２３ｌ】本第１及び第２実施例において、伝導性液体と非伝導性液体がキャビティに収容されたものを示した概念断面図である。
【図２４】本第１実施例のカメラモジュールを示した断面図である。
【図２５】本第２実施例のカメラモジュールを示した分解斜視図である。
【図２６】本第２実施例の液体レンズを示した分解斜視図である。
【図２７】本第２実施例のカメラモジュールを示した断面図である。
【図２８】本第１実施例のレンズモジュールの製造方法を示した概念図である。
【図２９】本第２実施例のレンズモジュールの製造方法を示した概念図である。
【図３０】本第１及び第２実施例のレンズモジュールの製造方法を示したフローチャートである。
【図３１】カメラモジュールの一実施例を示した図である。
【図３２ａ】図３１のカメラモジュールの液体レンズを示した図である。
【図３２ｂ】図３１のカメラモジュールの液体レンズを示した図である。
【図３３】図３１のカメラモジュールのレンズアセンブリーの断面図である。
【図３４】図３１のカメラモジュールのレンズアセンブリーの断面図である。
【図３５】図３３及び図３４のカメラモジュールのレンズアセンブリーにおいて、液体レンズを除いた構造を示した図である。
【発明を実施するための形態】
【００８２】
本発明の第１実施例によるカメラモジュールは、第１ホールを有する第１側面及び前記第１ホールと対面する第２ホールを有する第２側面を含むホルダー、前記ホルダー内に配置される第１レンズ部、前記ホルダー内に配置される第２レンズ部、及び前記第１レンズ部と前記第２レンズ部の間に配置され、前記ホルダーの第１ホール及び第２ホール内に少なくとも一部が配置される液体レンズを含み、光軸方向を基準に、前記液体レンズの厚さは前記ホルダーの第１ホールのサイズより小さくてもよい。
発明の実施のための形態
【００８３】
以下、添付図面に基づいて実施例を詳細に説明する。実施例は多様に変更可能であり、さまざまな形態を有することができるが、特定の実施例を図面に例示して本文に詳細に説明しようとする。しかし、これは実施例を特定の開示形態に限定しようとするものではなく、実施例の思想及び技術範囲に含まれる全ての変更、均等物乃至代替物を含むものと理解されなければならない。  
【００８４】
“第１”、“第２”などの用語は多様な構成要素を説明するのに使えるが、前記構成要素は前記用語によって限定されてはいけない。前記用語は一構成要素を他の構成要素から区別する目的のみで使われる。また、実施例の構成及び作用を考慮して特別に定義された用語は実施例を説明するためのものであるだけ、実施例の範囲を限定するものではない。
【００８５】
実施例の説明において、各要素（ｅｌｅｍｅｎｔ）の“上又は下（ｏｎ ｏｒ ｕｎｄｅｒ）”に形成されるものとして記載される場合、上又は下（ｏｎ ｏｒ ｕｎｄｅｒ）は二つの要素（ｅｌｅｍｅｎｔ）が互いに直接（ｄｉｒｅｃｔｌｙ）接触するかあるいは一つ以上の他の要素（ｅｌｅｍｅｎｔ）が前記二つの要素（ｅｌｅｍｅｎｔ）の間に配置されて（ｉｎｄｉｒｅｃｔｌｙ）形成されるものを全て含む。また“上又は下（ｏｎ ｏｒ ｕｎｄｅｒ）”と表現される場合、一つの要素（ｅｌｅｍｅｎｔ）を基準に上方のみでなく下方の意味も含むことができる。
【００８６】
また、以下に使われる“上／上部／上の”及び“下／下部／下の”などの関係的用語は、そのような実体又は要素間のある物理的又は論理的関係又は手順を必ず要求するか内包しなく、ある一つの実体又は要素を他の実体又は要素と区別するためにのみ用いることもできる。
【００８７】
以下で使われる“光軸方向”は、カメラモジュールのレンズモジュールの光軸方向と定義する。一方、“光軸方向”は上下方向、ｚ軸方向などと混用することができる。
【００８８】
以下で使われる“オートフォーカス機能”は、液体レンズの界面の曲率を変化させて被写体に対する焦点を合わせる機能と定義する。一方、“オートフォーカス”は“ＡＦ（Ａｕｔｏ  Ｆｏｃｕｓ）”と混用することができる。
【００８９】
以下で使われる“手ぶれ補正機能”は、外力によってイメージセンサーで発生する振動（動き）を相殺するように液体レンズの界面の曲率を変化させる機能と定義する。一方、“手ぶれ補正”は“ＯＩＳ（Ｏｐｔｉｃａｌ  Ｉｍａｇｅ  Ｓｔａｂｉｌｉｚａｔｉｏｎ）”と混用することができる。
【００９０】
図１は一実施例のレンズを示した分解斜視図である。図２は一実施例のレンズを示した斜視図である。実施例のレンズは、コア１００、上部ガラス２００、下部ガラス３００、液体レンズ部４００及び絶縁層５００を含むことができる。
【００９１】
上部ガラス２００はコア１００の上側に結合されて前記コア１００を保護する役割を果たすことがができる。また、前記上部ガラス２００は前記コア１００に備えられた液体レンズ部４００の液体の外部への漏洩を防止する役割を果たすことができる。
【００９２】
下部ガラス３００は前記コア１００の下側に結合されて前記コア１００を保護する役割をすることができる。また、前記下部ガラス３００は、前記上部ガラス２００とともに、前記コア１００に備えられた液体レンズ部４００の液体の外部への漏洩を防止する役割をすることができる。
【００９３】
前記上部ガラス２００及び下部ガラス３００は透明な固体素材から形成されることができる。例えば、透明なガラス、プラスチック素材から形成されることができる。光は前記上部ガラス２００に入射し、前記コア１００及び前記下部ガラス３００を通過してイメージセンサー（図示せず）に入射することができる。また、光は前記下部ガラス３００に入射し、前記コア１００及び前記上部ガラス２００を通過してイメージセンサー（図示せず）に入射することができる。
【００９４】
液体レンズ部４００の液体は前記コア１００に光軸方向に形成される中空１２０に少なくとも一部が配置されることができる。前記液体は、例えば、互いに混合しない複数の液体を含むことができ、各液体の境界面の形状、曲率などが変更されることにより、レンズを含むカメラモジュールがオートフォーカシング機能、手ぶれ補正機能を果たすことができるようにする。前記液体レンズの具体的な構造は以下で図面を参照して説明する。
【００９５】
コア１００は前記上部ガラス２００と下部ガラス３００の間に配置されるもので、電極層１１０、中空１２０、貫通口１３０、及びパターン部１４０を含むことができる。
【００９６】
前記電極層１１０は前記コア１００に配置され、前記コア１００に蒸着された薄膜から形成されることができ、導電性物質から形成されることができる。前記電極層１１０は、化学気相蒸着、プラズマ真空蒸着、その他の方法で前記コア１００に蒸着されることができる。
【００９７】
中空１２０は前記コア１００に貫設されることができる。前記中空１２０の少なくとも一部には液体レンズ部４００を備えることができ、上部ガラス２００又は下部ガラス３００を通過した光が前記コア１００を通過する部位である。ここで、前記電極層１１０の少なくとも一部は前記コア１００の前記中空１２０から延設されることができる。
【００９８】
貫通口１３０は前記コア１００に貫設されることができ、前記コア１００の上面に蒸着される前記電極層１１０と電気的に連結される電極層１１０が伸びて配置されることができる。前記貫通口１３０は、コア１００の上面の電極層１１０と電気的に連結されるため、表面に前記蒸着層が蒸着されることができる。
【００９９】
パターン部１４０は前記コア１００の下面に形成され、複数の端子１４３を備えることができる。前記パターン部１４０の具体的な構造は以下で図面を参照して説明する。
【０１００】
図３は一実施例のレンズを示した側面図である。図４は図３の構造を説明するための概略断面図である。
【０１０１】
図４に示したように、前記電極層１１０は前記コア１００の上面及び下面、前記中空１２０の表面及び前記貫通口１３０の表面に蒸着されて配置されることができる。
【０１０２】
このような構造により、前記コア１００の上面と下面に形成された各蒸着層は前記貫通口１３０の表面に形成された蒸着層によって互いに連結されることができる。すなわち、前記貫通口１３０によって前記コア１００の上面及び下面にそれぞれ配置される前記電極層１１０が互いに連結されることができる。
【０１０３】
液体レンズ部４００は、図４に示したように、第１液体層４１０と第２液体層４２０を含むことができる。第１液体層４１０は導電性液体からなり、前記電極層１１０と電気的に連結されることができる。第２液体層４２０は非導電性液体からなり、前記第１液体層４１０と境界を成すように配置されることができる。ここで、前記第１液体層４１０と第２液体層４２０は少なくとも一部が前記中空１２０に充填されて配置されることができる。
【０１０４】
また、前記第１液体層４１０と前記第２液体層４２０は互いに混合せずに互いに境界を成すことができる。第１液体層４１０は前記電極層１１０と電気的に連結され、前記電極層１１０を介して外部電源から電流を受けることができる。
【０１０５】
前記第１液体層４１０に電圧又は電流が印加されれば、第１液体層４１０と第２液体層４２０の境界の形状、曲率などが変更されることができ、印加される電圧又は電流を制御して前記境界の形状、曲率などを制御することにより、実施例のレンズを備えるカメラモジュールはオートフォーカシング機能及び手ぶれ補正機能を果たすことができる。
【０１０６】
絶縁層５００は前記電極層１１０と前記第２液体層４２０の間に配置されることができる。具体的に、前記絶縁層５００は、図４に示したように、前記コア１００の上面一部、前記中空１２０の表面及び前記下部ガラス３００の上面一部に形成されることができる。ここで、前記絶縁層５００は前記コア１００の上面及び前記中空１２０の表面では前記電極層１１０の表面に積層されて形成されることができる。
【０１０７】
前記絶縁層５００は、導電性素材の第１液体層４１０が前記コア１００の下面に形成される電極層１１０と直接電気的に連結されることを防止する役割を果たすことができる。このために、前記絶縁層５００は、前述したように、前記第１液体層４１０がコア１００の下面の電極層１１０と直接電気的に連結される可能性がある部位の全部にわたって積層されて形成されることができる。
【０１０８】
前記絶縁層５００が配置されることにより、前記第１液体層４１０は前記貫通口１３０を通じて前記コア１００の下面の電極層１１０と電気的に連結されることができる。
【０１０９】
一方、図４に示した実施例のコア１００構造は、例えば次のような手順の工程で形成されることができる。
【０１１０】
まず、コア１００に中空１２０及び貫通口１３０を形成する。ついで、前記コア１００の上面及び下面、及び中空１２０及び貫通口１３０の表面に電極層１１０を蒸着する。ここで、後で説明するように、前記コア１００の下面に蒸着された電極層１１０にはパターン部１４０を形成することができる。
【０１１１】
ついで、下部ガラス３００を前記コア１００の下面に融着などの方法で結合する。ついで、前記コア１００に絶縁膜を積層する。
【０１１２】
ついで、前記コア１００に液体を注入して、第１液体層４１０と第２液体層４２０を含む液体レンズ部４００を形成する。最後に、上部ガラス２００を前記コア１００の上面に融着などの方法で結合してコア１００の組立てを完成する。
【０１１３】
レンズは、作動のために、電圧又は電流が印加されなければならなく、前記コア１００の上面の電極層１１０と下面の電極層１１０が互いに電気的に連結されない構造を有する場合には、外部電源と電気的連結のための別途のコネクタなどがコア１００の上面及び下面の各電極層１１０に別に連結されなければならない。
【０１１４】
しかし、このような別途のコネクタなどを連結する構造は、レンズ及びこれを含むカメラモジュールの構成を複雑にし、大型化し、これによってレンズ及びこれを含むカメラモジュールの製作時間、努力、費用の増加する欠点がある。以下では前述した問題点を解決することができる実施例の構造を具体的に説明する。
【０１１５】
図５（図面の実線確認）は一実施例のレンズを示した平面図である。図６は一実施例のレンズを示した底面図である。図５及び図６に示したように、表面に電極層１１０が形成される貫通口１３０は前記コア１００の上面の電極層１１０とコア１００の下面のパターン部１４０を電気的に連結することができる。
【０１１６】
図４の断面図は図６に示した切断線（Ａ−Ａ’）に沿って示す断面を示した図に相当することができる。
【０１１７】
前記パターン部１４０は、例えば前記電極層１１０が蒸着されて形成されることができる。すなわち、コア１００の下面に蒸着される電極層１１０を食刻などでパターニングしてパターン部１４０を形成することができる。
【０１１８】
図６に示したように、前記パターン部１４０は、前記複数の端子１４３が互いに電気的に分離されるように形成され、前記複数の端子１４３の少なくとも一つは前記コア１００の上面に蒸着される前記電極層１１０及び前記貫通口１３０に電気的に連結されることができる。
【０１１９】
このような構造により、前記複数の端子１４３は前記コア１００の上面及び下面の電極層１１０の全てと連結されることができる。また、本実施例によると、前記複数の端子１４３の少なくとも一部は前記コア１００の上面の電極層１１０を介して前記第１液体層４１０と電気的に連結されることができる。
【０１２０】
前記パターン部１４０は、図６に示したように、第１パターン部１４１と第２パターン部１４２を含むことができる。第１パターン部１４１は前記下部ガラス３００と結合される部位であり、第２パターン部１４２は前記下部ガラス３００の一側に露出されるように構成される部位である。
【０１２１】
前記第２パターン部１４２は外部プリント基板１０と電気的に連結されることができる。よって、前記第２パターン部１４２は外部プリント基板１０との連結を容易にするために一定間隔で整列され、互いに同一又は類似の形状を有する複数の端子１４３の一部位として備えられることができる。
【０１２２】
一方、前記複数の端子１４３は第１端子１４３ａを含むことができる。図６に示したように、例えば前記第１端子１４３ａは、前記コア１００の上面に形成される前記電極層１１０と前記貫通口１３０に形成される前記電極層１１０に電気的に連結されることができる。
【０１２３】
コア１００の上面の電極層１１０は中空１２０を中心にコア１００の上面に円形に配置されることができる。コア１００の上面の電極層１１０は一体的に連結され、貫通口１３０に形成される前記電極層１１０を介して前記第１端子１４３ａに連結されることにより、外部電源から同じ電流を受けることができる。ここで、前記第１端子１４３ａに連結される電極層１１０は共通電極と定義することができる。
【０１２４】
前記第１端子１４３ａを除いた残りの端子１４３はコア１００の下面のパターン部１４０のうち中空１２０の周辺を４個領域に分割する電極層１１０とそれぞれ電気的に連結されることができる。前記４個領域に対応する電極層１１０はそれぞれ中空１２０の傾斜面に沿って絶縁層５００の下部に配置されることができる。前記４個領域に対応する電極層１１０は第１端子１４３ａを除いた残りの端子１４３を介してそれぞれ電流を受けることができる。ここで、前記第１端子１４３ａを除いた残りの端子１４３に連結される電極層１１０は個別電極と定義することができる。よって、第１端子１４３ａを含む端子１４３によって外部電源から電流が印加されることにより、第１液体層４１０と第２液体層４２０が形成する境界の曲率境界面の形状、曲率などが変更されることができる。
【０１２５】
これにより、レンズを含むカメラモジュールがオートフォーカシング機能及び手ぶれ補正機能を果たすことができる。
【０１２６】
図７及び図８は一実施例のレンズと外部プリント基板間の結合構造を説明するための図である。
【０１２７】
図７及び図８に示したように、前記パターン部１４０に形成される複数の端子１４３は、下部ガラス３００の一側に露出されるように構成される第２パターン部１４２で外部プリント基板１０と電気的に連結されることができる。
【０１２８】
ここで、前記外部プリント基板１０は、両端に外部端子１１が形成されることができ、前記外部端子１１の一端は前記レンズと電気的に連結されることができ、他端は外部電源と電気的に連結されることができる。
【０１２９】
レンズの第２パターン部１４２の端子１４３は前記外部プリント基板１０の外部端子１１と電気的に結合されることができる。ここで、前記端子１４３と前記外部端子１１はソルダリング、融着、導電性フィルム又は接着剤などによって結合されて電気的に連結されることができる。
【０１３０】
実施例において、前記コア１００の下面に形成されるパターン部１４０でのみ前記コア１００の上面及び下面に形成された蒸着層を外部電源と電気的連結することができる。よって、前記コア１００の上面と下面の蒸着層を外部電源と電気的に連結する構造に比べて簡単な構造を有する。
【０１３１】
前述したレンズの簡単な構造により、レンズ及びこれを含むカメラモジュールの構成を簡素化及び小型化することができ、これによってレンズ及びこれを含むカメラモジュールの製作時間、努力、費用を減らすことができる効果がある。
【０１３２】
前述したレンズを含むカメラモジュールはイメージセンサー（図示せず）をさらに含むことができる。前記イメージセンサーは前記レンズと光軸方向に対向するように構成されることができる。
【０１３３】
したがって、前記レンズを通過した光は前記イメージセンサーに入射し、前記イメージセンサーには被写体のイメージが結像されることができる。
【０１３４】
一方、前記レンズと前記イメージセンサーの間には、前記レンズ及び前記イメージセンサーと光軸方向に対向するように、赤外線遮断フィルターを備えることもできる。このような赤外線遮断フィルターはイメージセンサーに結像されるイメージの画質を高める役割を果たすことができる。
【０１３５】
図１〜図６で説明したコア１００、コア１００の上面の電極層１１０、コア１００の下面の電極層１１０、中空１２０、上部ガラス２００、下部ガラス３００はそれぞれ第１プレート、第１電極、第２電極、キャビティ、第２プレート、第３プレートと他に定義することができる。
【０１３６】
図９は一実施例のレンズアセンブリーを示した側断面図である。実施例のレンズアセンブリーは、第１レンズ部１１００、第２レンズ部１２００、液体レンズ部１３００、ベース１４００、プリント基板１５００及びカバー部材１６００を含むことができる。
【０１３７】
第１レンズ部１１００はレンズアセンブリーの前方に配置され、レンズアセンブリーの外部から光が入射する部位である。前記第１レンズ部１１００は少なくとも一つのレンズを含むことができ、あるいは２個以上の複数のレンズが光軸方向に整列されて光学系をなすこともできる。
【０１３８】
前記第１レンズ部１１００はベース１４００に装着されることができる。ここで、前記ベース１４００には貫通孔が形成され、前記貫通孔に前記第１レンズ部１１００が配置されることができる。
【０１３９】
第１レンズ部１１００は露出レンズ１１１０を含むことができる。前記露出レンズ１１１０はベース１４００の外部に突出して外部に露出されるレンズを言う。露出レンズ１１１０は外部に露出されるから、レンズの表面が損傷する可能性が高い。
【０１４０】
レンズ表面が損傷する場合、カメラモジュールで撮影されるイメージの画質が低下することがある。よって、露出レンズ１１１０の表面損傷を防止又は抑制するための措置が必要である。
【０１４１】
露出レンズ１１１０の表面損傷を防止するために、露出レンズ１１１０の前方にカバーガラスを配置することができる。しかし、カバーガラスを配置する場合、レンズアセンブリーとこれを含むカメラモジュールが装着される空間が増加するので、レンズアセンブリーとカメラモジュールが装着されるデバイスのサイズが大きくなることがある。
【０１４２】
したがって、実施例では、例えばカバーガラスを使わずに露出レンズ１１１０の表面損傷を防止又は抑制するための構造を開示する。
【０１４３】
実施例において、露出レンズ１１１０の表面損傷を防止又は抑制するために、前記露出レンズ１１１０は少なくとも一部が耐磨耗性素材、例えばガラスから形成されることができる。
【０１４４】
例えば、前記露出レンズ１１１０全体を耐磨耗性の高いガラス素材から形成することができる。耐磨耗性の高いガラス素材の場合、プラスチック素材の露出レンズ１１１０に比べ、表面損傷の防止又は抑制効果が著しく高い。
【０１４５】
他の実施例において、前記露出レンズ１１１０は外部露出部位に耐磨耗性コーティング層が形成されることができる。耐磨耗性コーティング層は、例えばＤＬＣ（Ｄｉａｍｏｎｄ  Ｌｉｋｅ  Ｃａｒｂｏｎ）コーティング層であってもよい。
【０１４６】
ＤＬＣコーティングはダイヤモンドの主成分である炭素ガスを用いて対象体の表面にコーティング層を蒸着させるものであり、蒸着されたコーティング層はダイヤモンドと類似した構造及び性質を有することができる。
【０１４７】
したがって、ＤＬＣコーティング層はダイヤモンドと類似の程度の高硬度を有するので、ＤＬＣコーティング層が形成された露出レンズ１１１０は高い耐磨耗性を有することができる。
【０１４８】
実施例において、レンズアセンブリーの外部露出部位である露出レンズ１１１０を保護するための別途のカバーガラスを使わなくて、レンズアセンブリーとこれを含むカメラモジュールが装着される空間を減らすことができるので、レンズアセンブリーとカメラモジュールが装着されるデバイスのサイズを効果的に減らすことができる。
【０１４９】
第２レンズ部１２００は前記第１レンズ部１１００及び液体レンズ部１３００の後方に配置され、外部から前記第１レンズ部１１００に入射する光は液体レンズ部１３００を透過して前記第２レンズ部１２００に入射することができる。このとき、前記第２レンズ部１２００は前記第１レンズ部１１００から離隔して、前記ベース１４００に形成された貫通孔に配置されることができる。
【０１５０】
前記第２レンズ部１２００は少なくとも一つのレンズを含むことができ、あるいは２個以上の複数のレンズが光軸方向に整列されて光学系をなすこともできる。前記第２レンズ部１２００はベース１４００に装着されることができる。
【０１５１】
液体レンズ部１３００は前記第１レンズ部１１００と前記第２レンズ部１２００の間に配置され、ベース１４００に装着されることができる。前記液体レンズ部１３００には光軸方向に中空１３１０が形成されることができる。前記中空１３１０は前記第１レンズ部１１００を通過した光が透過する部位であり、少なくとも一部に液体が充填されることができる。
【０１５２】
また、前記中空１３１０は、図９に示したように、光軸方向への面積が前記第１レンズ部１１００から前記第２レンズ部１２００の方向に行くほど減少するように構成されることができる。
【０１５３】
前記中空１３１０には、例えば２種、すなわち導電性液体と非導電性液体が一緒に充填されることができ、導電性液体と非導電性液体は互いに混合せずに境界面を成すことができる。
【０１５４】
ここで、前記導電性液体が外部電源と電気的に連結され、外部電源から電流が印加されれば、前記境界面が変形するとか曲率が変更されることができる。このような境界面の変形又は曲率の変更が制御されれば、液体レンズ部１３００とこれを含むレンズアセンブリー及びカメラモジュールはオートフォーカシング機能、手ぶれ補正機能などを果たすことができる。
【０１５５】
図９に示したように、前記第１レンズ部１１００、前記第２レンズ部１２００及び前記液体レンズ部１３００は光軸方向に互いに対向するように配置されることができる。また、カメラモジュールが高画質のイメージを撮影するためには、前記第１レンズ部１１００、前記第２レンズ部１２００及び前記液体レンズ部１３００の各焦点が光軸方向に互いに整列されることが適切である。
【０１５６】
ここで、光軸方向に各焦点が互いに整列されるとは、例えば前記第１レンズ部１１００、前記第２レンズ部１２００及び前記液体レンズ部１３００が有する各焦点が、光軸方向に見たとき、互いに同一の線上に位置するとか、少なくとも設計された範囲内に位置しなければならないことを意味することができる。
【０１５７】
すなわち、図９を参照すれば、前記第１レンズ部１１００の焦点が光軸に平行な仮想線ＰＬ上に位置する場合、前記第２レンズ部１２００及び前記液体レンズ部１３００も前記仮想線ＰＬ上に位置するとか、前記仮想線ＰＬを外れると言っても設計範囲を外れない所に位置する場合にだけ各レンズ部の各焦点が光軸方向に互いに整列されたと見なすことができる。
【０１５８】
各レンズ部の焦点が設計範囲を外れた位置に配置される場合、撮影されるイメージの画質が低下することがあるので、このような焦点の整列のための構造が必要である。これは実施例で提案するベース１４００の構造によって具現することができる。以下で、実施例のベース１４００の構造を具体的に説明する。
【０１５９】
ベース１４００には前記第１レンズ部１１００、前記第２レンズ部１２００及び前記液体レンズ部１３００がそれぞれ互いに光軸方向に対向するように装着されることができる。前記ベース１４００には、前記レンズ部を装着するために、光軸方向に空間が貫設され、前記空間に前記レンズ部が配置されることができる。
【０１６０】
前記ベース１４００は前記液体レンズ部１３００が挿入される挿入口１４１０を含むことができる。すなわち、前記ベース１４００は、前記液体レンズ部１３００が挿入される挿入口１４１０が側部に形成されることができる。前記挿入口１４１０は、図９及び後述の図１０に示したように、前記ベース１４００の内部空間と連通するように、前記ベース１４００の一側に形成されることができる。
【０１６１】
図９に示したように、液体レンズ部１３００は、光軸方向への面積が第１レンズ部１１００又は第２レンズ部１２００の光軸方向への面積より大きく形成されることができる。
【０１６２】
液体レンズ部１３００の構造上、液体が充填される中空１３１０の光軸方向への面積が前記第１レンズ部１１００又は第２レンズ部１２００より小さいことがあり、液体レンズ部１３００全体の光軸方向への面積を減らせば、前記中空１３１０の面積がさらに小さくなり、前記液体レンズ部１３００を透過する光の透光面積がもっと小さくなるしかない。
【０１６３】
液体レンズ部１３００の透光面積が小さくなれば、透過する光量が少なくなり、これは結局撮影されるイメージの明るさを著しく低下させることがある。よって、液体レンズ部１３００の透光面積とこれによる中空１３１０の光軸方向への面積を減らすのに制約がある。
【０１６４】
前述した理由で、結局、液体レンズ部１３００の光軸方向への面積は第１レンズ部１１００又は第２レンズ部１２００の光軸方向への面積より大きく形成されることがある。よって、前記液体レンズ部１３００は、第１レンズ部１１００又は第２レンズ部１２００のように、前記ベース１４００の前記空間の開放した下部から前記ベース１４００の上部への方向に前記ベース１４００に装着しにくい。
【０１６５】
実施例では、前記挿入口１４１０を通じて前記液体レンズ部１３００を前記ベース１４００に装着することができるので、レンズアセンブリーの組立が容易である効果がある。また、前記液体レンズ部１３００と結合されるプリント基板１５００も前記ベース１４００に容易に装着されることができる。
【０１６６】
また、前記挿入口１４１０を通じて前記ベース１４００に装着される液体レンズ部１３００の前記第１レンズ部１１００に対する光軸方向への焦点整列が容易になることができる。
【０１６７】
すなわち、前記液体レンズ部１３００を光軸方向に垂直な方向に移動させて液体レンズ部１３００の焦点が前記仮想線ＰＬ上に位置するとか前記仮想線ＰＬを外れても設計範囲内に位置するように容易に調節することができる。
【０１６８】
プリント基板１５００は前記液体レンズ部１３００と電気的に連結され、前記挿入口１４１０に少なくとも一部が挿入されることができる。前記プリント基板１５００は両端に端子１５１０を備え、カバー部材１６００に内蔵されるために、折曲状に構成されることができる。
【０１６９】
前記プリント基板１５００において、一端に備えられた端子１５１０は前記液体レンズ部１３００に結合して前記液体レンズ部１３００と電気的に連結され、他端に備えられた端子１５１０は外部電源と電気的に連結されることができる。
【０１７０】
外部電源との連結のために、他端に備えられた端子１５１０はセンサーホルダー１０１０に電気的に連結されることができる。これに関連した構造は後で具体的に説明する。
【０１７１】
図１０は図９の分解斜視図である。図１０を参照して実施例のレンズアセンブリーの組立方法及び各レンズ部の焦点整列方法を説明する。
【０１７２】
まず、ベース１４００に前記第１レンズ部１１００を装着する。このとき、前記ベース１４００の下部に形成された開口を通じて前記第１レンズ部１１００が前記ベース１４００の内部空間に配置されることができる。ここで、前記第１レンズ部１１００の焦点は前記仮想線ＰＬ上に位置してもよい。
【０１７３】
前記第１レンズ部１１００が前記ベース１４００の内部空間の設計された位置に配置されれば、接着剤などを用いて前記第１レンズ部１１００を前記ベース１４００に結合させる。
【０１７４】
ついで、ベース１４００に前記液体レンズ部１３００を装着する。プリント基板１５００が結合された液体レンズ部１３００を前記挿入口１４１０を通じて前記ベース１４００の内部空間に配置することができる。このとき、前述したように、前記液体レンズ部１３００を光軸方向に垂直な方向に移動させて第１レンズ部１１００の焦点と液体レンズ部１３００の焦点を光軸方向に互いに整列させることができる。
【０１７５】
焦点整列が完了すれば、前記液体レンズ部１３００は前記ベース１４００の内部空間への配置が完了し、接着剤などを用いて前記液体レンズ部１３００を前記ベース１４００に結合させる。
【０１７６】
ついで、ベース１４００に前記第２レンズ部１２００を装着する。このとき、前記ベース１４００の下部に形成された開口を通じて前記第２レンズ部１２００が前記ベース１４００の内部空間に配置されることができる。前記第２レンズ部１２００を光軸方向に垂直な方向に移動させて第２レンズ部１２００の焦点、第１レンズ部１１００の焦点及び液体レンズ部１３００の焦点を光軸方向に互いに整列させることができる。
【０１７７】
焦点整列が完了すれば、前記第２レンズ部１２００は前記ベース１４００の内部空間への配置が完了し、接着剤などを用いて前記第２レンズ部１２００を前記ベース１４００に結合させる。
【０１７８】
前述した組立方法及び焦点整列方法によって、前記液体レンズ部１３００は前記第１レンズ部１１００に対して光軸方向に焦点が整列されるように配置されることができる。また、前記第２レンズ部１２００は前記第１レンズ部１１００及び液体レンズ部１３００に対して光軸方向に焦点が整列されるように配置されることができる。
【０１７９】
このような構造により、結局、前記ベース１４００に配置及び装着される前記第１レンズ部１１００、第２レンズ部１２００及び液体レンズ部１３００の各焦点が光軸方向に互いに整列されることができる。
【０１８０】
一方、前記液体レンズ部１３００に形成される前記中空１３１０の光軸方向への面積は前記第１レンズ部１１００又は前記第２レンズ部１２００を形成するレンズの光軸方向への面積より小さく構成されることができる。
【０１８１】
これは、第１レンズ部１１００と第２レンズ部１２００をなす各レンズは光軸方向への面積全体に光が入射することができる構造のレンズであるが、液体レンズ部１３００は前記中空１３１０にだけ光が入射することができるので、レンズアセンブリーの小型化のために、前記中空１３１０の面積を第１レンズ部１１００又は第２レンズ部１２００の面積より小さく形成することが適切であるからである。
【０１８２】
前記中空１３１０の光軸方向への面積が小さいほど前記中空１３１０を通過する光量は小さくなることがある。よって、前記液体レンズ部１３００を前記第１レンズ部１１００の前方に配置する場合、実施例の配置、すなわち液体レンズ部１３００を第１レンズ部１１００と第２レンズ部１２００の間に配置する場合に比べ、レンズアセンブリーに入射する光の光量が小さくなり、これにより撮影されるイメージの画質が低下することがある。
【０１８３】
一方、実施例の各レンズ部の配置とは違い、液体レンズ部１３００を前記第２レンズ部１２００の後方に配置する場合、中空１３１０が小さな面積を有することによってカメラモジュールの視野角（ｖｉｅｗａｎｇｌｅ）が小さくなることがある。
【０１８４】
実施例の各レンズ部の配置構造、すなわち第１レンズ部１１００と第２レンズ部１２００の間に液体レンズ部１３００が配置される場合、液体レンズ部１３００の中空１３１０を透過した光は広い面積を有する第２レンズ部１２００を通過しながら屈折して、液体レンズ部１３００を前記第２レンズ部１２００の後方に配置する場合より広い視野角を有することができる。
【０１８５】
前述した理由で、実施例のように前記第１レンズ部１１００と前記第２レンズ部１２００の間に前記液体レンズ部１３００を配置することにより、視野角が減らず、入射する光の光量も減らないレンズアセンブリーを具現することができる。
【０１８６】
図１１は一実施例のカメラモジュールを示した斜視図である。図１２は図１１の内部構成を示す図である。図１１及び図１２に示したように、実施例のレンズアセンブリーはカバー部材１６００をさらに含むことができる。
【０１８７】
前記カバー部材１６００は前記ベース１４００及び前記プリント基板１５００を収容することができ、よって前記ベース１４００に装着される第１レンズ部１１００、第２レンズ部１２００及び液体レンズ部１３００を収容し、これらのレンズ部を保護する役割を果たすことができる。
【０１８８】
前記カバー部材１６００は、一実施例において、中空になって下部が開放し、第１レンズ部１１００の前方部が露出される通孔が形成された形態に構成されることができる。
【０１８９】
実施例のカメラモジュールは、図１１及び図１２に示したように、前述した構造のレンズアセンブリー、イメージセンサー１０１１及びセンサーホルダー１０１０を含むことができる。
【０１９０】
イメージセンサー１０１１は前記レンズアセンブリーと光軸方向に対向するように配置され、前記第１レンズ部１１００、液体レンズ部１３００及び第２レンズ部１２００を順次透過した光が入射してイメージが撮影される部位である。
【０１９１】
一方、図示されてはいないが、前記第２レンズ部１２００とイメージセンサー１０１１の間には、撮影されるイメージの画質を高めるために、フィルターを備えることができる。前記フィルターは、例えば赤外線遮断フィルターであってもよい。
【０１９２】
センサーホルダー１０１０は前記イメージセンサー１０１１が実装又は装着されることができ、前記ベース１４００と結合されることができる。また、前記センサーホルダー１０１０にはカメラモジュール全体の作動のための各種の素子が装着されることができる。また、前記センサーホルダー１０１０は前記プリント基板１５００と電気的に連結されることができる。
【０１９３】
すなわち、前記プリント基板１５００に形成される端子１５１０と電気的に連結される連結部（図示せず）が前記センサーホルダー１０１０に形成されることができ、前記端子１５１０と前記連結部はソルダリング、導電性接着剤などによって互いに結合されることができる。
【０１９４】
また、前記センサーホルダー１０１０は外部電源との連結のためのコネクタ１０１２を備えることができる。よって、前記液体レンズ部１３００はプリント基板１５００、センサーホルダー１０１０及びコネクタ１０１２を介して外部電源と電気的に連結され、外部電源から電流を受けて駆動することができる。
【０１９５】
図１３は他の実施例のカバー部材１６００を備えたカメラモジュールを示した斜視図である。図１４は図１３のカメラモジュールがデバイスに装着された状態を示した図である。
【０１９６】
図１３及び図１４に示したように、カバー部材１６００には突出コア１６１０が形成されることができる。前記突出コア１６１０は第１レンズ部１１００の露出部位、すなわち露出レンズ１１１０が外部に露出されるように、前記カバー部材１６００に形成された通孔の周囲が光軸方向に突出した形態に構成されることができる。
【０１９７】
一方、前記ベース１４００は前記突出コア１６１０の形状に対応して前方部が突設される形態に形成されることができる。図１３に示したように、前記突出コア１６１０の内部には空間が形成されることができ、前記空間に第１レンズ部１１００が装着されることができる。
【０１９８】
図１４に示したように、前記突出コア１６１０はデバイスのカバー１０２０に形成される開口に挿入されることができる。このような構造により、図９〜図１２で説明したレンズアセンブリーの構造に比べ、実施例のレンズアセンブリーはレンズアセンブリーの光軸方向への全長を減らず、カバー部材６００の形状変更とこれによるベース１４００の形状変更によって、レンズアセンブリーとこれを含むカメラモジュールがデバイスで占める空間を減らすことができる。
【０１９９】
図９〜図１４で説明したベース１４００及び貫通孔はそれぞれホルダー及び貫通ホールと他に定義することができる。挿入口１４１０が互いに対面する２個のホールからなる場合、第１ホールと第２ホールと他に定義することもできる。
【０２００】
以下では、本実施例による光学機器を説明する。
【０２０１】
光学機器は、携帯電話、移動電話、スマートフォン（ｓｍａｒｔ  ｐｈｏｎｅ）、携帯用スマート機器、デジタルカメラ、ノートブック型パソコン（ｌａｐｔｏｐ  ｃｏｍｐｕｔｅｒ）、デジタル放送用端末機、ＰＤＡ（Ｐｅｒｓｏｎａｌ  Ｄｉｇｉｔａｌ  Ａｓｓｉｓｔａｎｔｓ）、ＰＭＰ（Ｐｏｒｔａｂｌｅ  Ｍｕｌｔｉｍｅｄｉａ  Ｐｌａｙｅｒ）、ナビゲーションなどであってもよい。ただし、これに制限されるものではなく、映像又は写真を撮影するためのどの装置も可能である。
【０２０２】
光学機器は、本体（図示せず）、ディスプレイ部（図示せず）、カメラモジュール２０００、２００１を含むことができる。
【０２０３】
本体は本光学機器の外観をなすことができる。本体は、一例として直方体状を有することができる。ただし、これに制限されるものではない。変形例として、本体は少なくとも一部が丸く形成されることができる。本体はカメラモジュール２０００、２００１を収容することができる。本体の一面にはディスプレイ部が配置されることができる。
【０２０４】
カメラモジュール２０００、２００１は本体に配置されることができる。カメラモジュール２０００、２００１は本体の一面に配置されることができる。カメラモジュール２０００、２００１は少なくとも一部が本体の内部に収容されることができる。カメラモジュール２０００、２００１は被写体の映像を撮影することができる。
【０２０５】
ディスプレイ部は本体に配置されることができる。ディスプレイは本体の一面に配置されることができる。すなわち、ディスプレイ部はカメラモジュール２０００、２００１と同一面に配置されることができる。もしくは、ディスプレイ部は本体の一面とは違う面に配置されることができる。
【０２０６】
ディスプレイ部はカメラモジュール２０００、２００１が配置された面の向こう側に位置する面に配置されることができる。ディスプレイ部はカメラモジュール２０００、２００１で撮影された映像を出力することができる。
【０２０７】
以下では、本第１実施例のカメラモジュール２０００の構成を図面に基づいて説明する。
【０２０８】
図１６は本第１及び第２実施例のカメラモジュールを示した斜視図、図１７は本第１実施例のカメラモジュールを示した分解斜視図、図１８は本第１実施例のシールドカンを示した斜視図、図１９は本第１実施例のレンズホルダーを示した斜視図、図２０は本第１実施例のレンズホルダーを示した断面図、図２１は本第１実施例の液体レンズを示した分解斜視図、図２２は本第１実施例の液体レンズを示した平面図、図２３ａ〜図２３ｌは本第１及び第２実施例において伝導性液体と非伝導性液体がキャビティに収容されたものを示した概念断面図、図２４は本第１実施例のカメラモジュールを示した断面図である。
【０２０９】
本第１実施例のカメラモジュール２０００はＡＦ駆動用カメラモジュールであってもよい。ここで、カメラモジュール２０００は“ＡＦカメラモジュール”と言える。もしくは、カメラモジュール２０００がＯＩＳ駆動用カメラモジュールとして備えられることもできる。
【０２１０】
カメラモジュール２０００は、カバー部材２１００、レンズモジュール、赤外線フィルター２６００、メイン基板２７００、イメージセンサー（図示せず）及び制御部（図示せず）を含むことができる。ただ、カメラモジュール２０００においてカバー部材２１００、赤外線フィルター２６００、メイン基板２７００及びイメージセンサー（図示せず）のいずれか一つ以上が省略又は変更されることができる。
【０２１１】
カバー部材２１００はカメラモジュール２０００の外観をなすことができる。カバー部材２１００は下部が開放した六面体状を有することができる。ただし、これに制限されるものではない。カバー部材２１００は非磁性体であってもよい。もしくは、カバー部材２１００は金属板材からなることができる。この場合、カバー部材２１００は電磁干渉（ＥＭＩ、ｅｌｅｃｔｒｏ  ｍａｇｎｅｔｉｃ  ｉｎｔｅｒｆｅｒｅｎｃｅ）を遮断することができる。カバー部材２１００のこのような特徴のため、カバー部材２１００は“ＥＭＩシールドカン”と言える。カバー部材２１００は、カメラモジュール２０００の外部で発生する電波がカバー部材２１００の内側に流入することを遮断することができる。また、カバー部材２１００は、カバー部材２１００の内部で発生した電波がカバー部材２１００の外側に放出されることを遮断することができる。ただし、カバー部材２１００の素材が金属の板材に制限されるものではない。
【０２１２】
カバー部材２１００は、上板２１２０と多数の側板２１３０を含むことができる。カバー部材２１００は、上板２１２０と上板２１２０の外側から下側に伸びる多数の側板２１３０を含むことができる。カバー部材２１００はレンズホルダー２２００の外側面に位置してもよい。カバー部材２１００はレンズホルダー２２００の外側面と接して位置してもよい。カバー部材２１００の多数の側板２１３０の下端は、レンズホルダー２２００に装着されることができる。カバー部材２１００の多数の側板２１３０の下端は、レンズホルダー２２００の下部の段差部２２５０に装着されることができる。
【０２１３】
上板２１２０はプレート状を有することができる。上板２１２０の各辺には下側に伸びた多数の側板２１３０が位置してもよい。この場合、上板２１２０と多数の側板２１３０は一体に形成されることができる。上板２１２０の中央には第１透過窓２１１０が位置してもよい。第１透過窓２１１０は上板２１２０の中央に形成された円形のホールであり、後述するレンズモジュールの光軸を中心とすることができる。したがって、被写体で反射された光は第１透過窓２１１０を通じてレンズモジュールに照射されることができる。
【０２１４】
側板２１３０は複数であり得る。側板２１３０は上板２１２０の４辺のそれぞれから下側に延設されることができる。その結果、側板２１３０は総４個であってもよい。さらに、それぞれの側板２１３０は互いに離隔することができる。側板２１３０の下端はレンズホルダー２２００の下部の段差部２２５０に装着されることができる。
【０２１５】
スリット２１４０は多数の側板２１３０が互いに離隔している空間であり得る。すなわち、スリット２１４０は多数の側板２１３０のうち隣り合う側板２１３０の間に位置してもよい。スリット２１４０はカバー部材２１００の４個の垂直辺に沿って位置してもよい。
【０２１６】
スリット２１４０は第１、第２及び第３間隙２１４２、２１４４、２１４６を含むことができる。第１間隙２１４２はカバー部材２１００の垂直辺に沿って形成されることができる。また、第２及び３間隙２１４４、２１４６は第１間隙２１４２の上端部がカバー部材２１００の上部の角部で両側に分岐して形成されることができる。第２及び第３間隙２１４４、２１４６の上側端部は丸く形成されることができる。その結果、一体の平板を成形して展開図形態のカバー部材２１００を製作した後、多数の側板２１３０を下側に折り曲げてカバー部材２１００を完成することができる。この場合、第２及び第３間隙２１４４、２１４６の上端部は丸くなっているので、側板２１３０が易しく折り曲げられることができる。さらに、側板２１３０が折り曲げられる部分の両端に応力が集中することを防止することができるので、クラック（Ｃｒａｃｋ）などが発生することを防止することができる。
【０２１７】
レンズモジュールは、レンズホルダー２２００と、第１レンズ部２３００と、液体レンズ２４００と、第２レンズ部２５００とを含むことができる。レンズモジュールの下側にはメイン基板２７００が位置してもよい。レンズモジュールはメイン基板２７００によって支持されることができる。レンズモジュールの下端部はメイン基板２７００に装着されることができる。レンズモジュールの下端部はメイン基板２７００の上面外側に装着されることができる。レンズモジュールを透過した光はメイン基板２７００の上面内側に実装されたイメージセンサーに照射されることができる。本変形例（図示せず）においては、レンズモジュールはベースプレートを含むことができる。この場合、レンズモジュールの下端部はベースプレートに装着されて支持されることができる。また、ベースプレートの下部にメイン基板が位置してもよい。また、ベースプレートはメイン基板の上面外側に装着されることができる。
【０２１８】
レンズホルダー２２００はブロック状のプラスチック射出物であってもよい。レンズホルダー２２００はホール成形によって製作されることができる。レンズホルダー２２００の中央には光軸方向にホール２２１０が形成されることができる。レンズホルダー２２００には、光軸方向にレンズホルダー２２００の中央部を貫通するホール２２１０が形成されることができる。
【０２１９】
ホール２２１０はレンズホルダー２２００に位置してもよい。ホール２２１０はレンズホルダー２２００の中央に光軸方向に位置してもよい。ホール２２１０はレンズホルダー２２００の中央に光軸方向に形成されることができる。ホール２２１０はレンズホルダー２２００を上下方向に貫いて形成されることができる。したがって、ホール２２１０によってレンズホルダー２２００の上側と下側が開放することができる。ホール２２１０は第１レンズ部２３００と液体レンズ２４００と第２レンズ部２５００を収容することができる。
【０２２０】
ホール２２１０は、第２透過窓２２１１と、第１レンズ収容ホール２２２０と、第２レンズ収容ホール２２３０と、挿入ホール２２３２と、第３レンズ収容ホール２２４０とを含むことができる。ホール２２１０には、上側から下側への方向に、第２透過窓２２１１と、第１レンズ収容ホール２２２０と、第２レンズ収容ホール２２３０と、第３レンズ収容ホール２２４０とが順に位置してもよい。ホール２２１０は、上側から下側への方向に、第１レンズ部２３００と、液体レンズ２４００と、第２レンズ部２５００とを順に収容することができる。この場合、第１レンズ部２３００と液体レンズ２４００と第２レンズ部２５００の光軸は整列されることができる。
【０２２１】
第２透過窓２２１１はホール２２１０の最上側に位置してもよい。第２透過窓２２１１は円形であってもよい。第２透過窓２２１１から上下に離隔して第１透過窓２１１０が位置してもよい。第２透過窓２２１１の下側には第１レンズ収容ホール２２２０が位置してもよい。
【０２２２】
第２透過窓２２１１と第１レンズ収容ホール２２２０は上下方向に連通することができる。第２透過窓２２１１は第１レンズ収容ホール２２２０と一体に形成されることができる。すなわち、第２透過窓２２１１は第１レンズ収容ホール２２２０の一部であり得る。この場合、第２透過窓２２１１を通じて第１レンズ部２２００の最上側レンズが突出することができる。
【０２２３】
第１レンズ収容ホール２２２０はホール２２１０の中心部に位置してもよい。第１レンズ収容ホール２２２０の上側には第２透過窓２２１１が位置してもよい。第１レンズ収容ホール２２２０の下側には第２レンズ収容ホール２２３０が位置してもよい。第２透過窓２２１１と第１レンズ収容ホール２２２０と第２レンズ収容ホール２２３０は上下方向に連通することができる。第２透過窓２２１１と第１レンズ収容ホール２２２０と第２レンズ収容ホール２２３０は光軸方向に整列されるように形成されることができる。第１レンズ収容ホール２２２０は第１レンズ部２３００を収容することができる。
【０２２４】
第２レンズ収容ホール２２３０はホール２２１０の中間に位置してもよい。第２レンズ収容ホール２２３０の上側には第１レンズ収容ホール２２２０が位置してもよい。第２レンズ収容ホール２２３０の下側には第３レンズ収容ホール２２４０が位置してもよい。第１レンズ収容ホール２２２０と第２レンズ収容ホール２２３０と第３レンズ収容ホール２２４０は上下方向に連通することができる。第１レンズ収容ホール２２２０と第２レンズ収容ホール２２３０と第３レンズ収容ホール２２４０は光軸方向に整列されるように形成されることができる。第２レンズ収容ホール２２３０は液体レンズ２４００を収容することができる。その結果、第１レンズ部２３００と液体レンズ２４００の光軸は整列されることができる。
【０２２５】
挿入ホール２２３２はレンズホルダー２２００の側面に形成されることができる。挿入ホール２２３２はレンズホルダー２２００に光軸方向に対して傾いた方向に形成されることができる。挿入ホール２２３２はレンズホルダー２２００の表面からホール２２１０まで光軸方向に対して傾いた形態に形成されることができる。挿入ホール２２３２はレンズホルダー２２００の表面からホール２２１０まで光軸方向に対して垂直に形成されることができる。挿入ホール２２３２はレンズホルダー２２００の一側面を貫いて光軸方向に対して傾くように形成されることができる。挿入ホール２２３２はレンズホルダー２２００の一側面を貫いて光軸方向に対して垂直に形成されることができる。すなわち、挿入ホール２２３２によってレンズホルダー２２００の一側面の一部が開放することができる。挿入ホール２２３２はホール２２１０と連通することができる。挿入ホール２２３２は第２レンズ収容ホール２２３０と連通することができる。その結果、液体レンズ２４００が挿入ホール２２３２を通じてレンズホルダー２２００の側面から挿入されて第２レンズ収容ホール２２３０に収容されることができる。レンズホルダー２２００において挿入ホール２２３２が貫設された一側面には挿入ホール２２３２と連通して下側に伸びた基板収容溝２２３４が形成されることができる。基板収容溝２２３４は後述する上部連結基板２４１０ｂと下部連結基板２４５０ｂを収容することができる。基板収容溝２２３４はレンズホルダー２２００の下端部まで延設されることができる。上部連結基板２４１０ｂと下部連結基板２４５０ｂは基板収容溝２２３４に沿って位置するので、レンズホルダー２２００の下部に位置するメイン基板２７００と電気的に連結されることができる。
【０２２６】
第３レンズ収容ホール２２４０はホール２２１０に配置されることができる。第３レンズ収容ホール２２４０の上側には第２レンズ収容ホール２２３０が位置してもよい。第２レンズ収容ホール２２３０と第３レンズ収容ホール２２４０は上下方向に連通することができる。第２レンズ収容ホール２２３０と第３レンズ収容ホール２２４０は光軸方向に整列されるように形成されることができる。第３レンズ収容ホール２２４０は第２レンズ部２５００を収容することができる。その結果、液体レンズ２４００と第２レンズ部２５００の光軸は整列されることができる。
【０２２７】
一般に、液体レンズ２４００の場合、他のレンズよりレンズの外形サイズが大きい。したがって、液体レンズ２４００をホール２２１０の下側開口を通じて挿入する場合、第１レンズ部２３００と液体レンズ２４００を収容する上側ホールと第２レンズ部２５００を収容する下側ホールがそれぞれ必要である。それぞれのホールは別個のホール成形工程によって形成されるため、上側ホールと下側ホールの光軸が互いに一致しない問題点が発生し得る。しかし、本第１実施例においては、挿入ホール２２３２によって液体レンズ２４００が側面から挿入される。その結果、一つのホール２２１０が第１レンズ部２３００と液体レンズ２４００と第２レンズ部２５００の全てを収容することができる。すなわち、単一ホール成形工程によって一体に形成されたホール２２１０に全てのレンズが収容されるので、光軸がずれる問題が発生しない。
【０２２８】
第１レンズ部２３００は一つ以上のレンズを含むことができる。第１レンズ部２３００は２個のレンズを含むことができる。第１レンズ部２３００のレンズは積層形態に位置してもよい。第１レンズ部２３００は第１レンズ収容ホール２２２０に収容されることができる。第１レンズ部２３００のレンズは、レンズの上部が第１レンズ収容ホール２２２０の段差部又はＯリングに接し、レンズの下部が下部レンズ又はＯリングに支持されて固定されることができる。第１レンズ部２３００の最下側レンズの下部は後述する液体レンズ２４００の上部プレート２４２０の上面と接することができる。第１レンズ部２３００の最下側レンズの下部は後述する液体レンズ２４００の上部プレート２４２０の上面に支持されて固定されることができる。
【０２２９】
第１レンズ部２３００の最下側レンズの底面には外周に沿って傾斜部２３１０が位置してもよい。この場合、傾斜部２３１０はレンズホルダー２２００の内側に下向きに傾くように形成されることができる。最下側レンズの底面の外周が角をなしている場合、液体レンズ２４００の挿入時、上部プレート２４２０との摩擦が発生し得るため、これを防止するために傾斜部２３１０が必要である。
【０２３０】
液体レンズ２４００は伝導性液体と非伝導性液体の界面の曲率を制御してＡＦ機能及びＯＩＳ機能を果たすレンズである。伝導性液体と非伝導性液体が収容され、電極と絶縁体が積層されるので、電極に電圧を印加すれば、印加電圧の強度によって伝導性液体と絶縁体でコーティングされたキャビティの内側面間の接触角が変化するエレクトロウェッティング（ｅｌｅｃｔｒｏｗｅｔｔｉｎｇ）現象が発生する。図１５を参照してエレクトロウェッティング（ｅｌｅｃｔｒｏｗｅｔｔｉｎｇ）現象をより詳細に説明する。電気的に絶縁された絶縁膜２０１４の上面に伝導性液滴２０４０を落とせば、図１５に実線で示した球形を成すことになる。絶縁膜２０１４下の第１電極２０１３と伝導性液滴２０４０間の第２電極２０１５に電圧を印加すれば、図１５に点線で示したように、伝導性液滴２０４０と絶縁膜２０１３の上面の接触角が変化するエレクトロウェッティング現象が発生する。さらに、電圧が印加される位置を変更すれば、エレクトロウェッティング現象が発生する位置が変更される。上述したエレクトロウェッティング現象により、液体レンズ２４００では伝導性液体と非伝導性液体間の界面の曲率が変化し、このような曲率の変化を制御してＡＦ機能及びＯＩＳ機能を果たすことができる。
【０２３１】
以下で本第１実施例の液体レンズ２４００を説明するにあたり、上部電極部は第１〜第４電極部ａ１、ａ２、ａ３、ａ４を含むものであり、内壁電極部は第５〜第８電極部ａ５、ａ６、ａ７、ａ８を含むものであると仮定する。
【０２３２】
液体レンズ２４００はレンズホルダー２２００の内部に位置してもよい。液体レンズ２４００はホール２２１０に収容されることができる。液体レンズ２４００は挿入ホール２２３２を通じて第２レンズ収容ホール２２３０に収容されることができる。液体レンズ２４００は、上部が第１レンズ部２３００の最下側レンズの下面と第２レンズ収容ホール２２３０の上面に接し、下部が第２レンズ部２５００の最上側レンズの上面と第２レンズ収容ホール２２３０の下面に支持されて固定されることができる。液体レンズ２４００はレンズホルダー２２００の一側面から挿入されてホール２２１０に収容されることができる。液体レンズ２４００は挿入ホール２２３２を通じて第２レンズ収容ホール２２３０に収容されることができる。液体レンズ２４００はメイン基板２７００と電気的に連結されることができる。液体レンズ２４００の界面の曲率は制御されることができる。
【０２３３】
液体レンズ２４００はレンズホルダー２２００の内部に位置してもよい。液体レンズ２４００はホール２２１０に収容されることができる。液体レンズ２４００は挿入ホール２２３２を通じて第２レンズ収容ホール２２３０に収容されることができる。液体レンズ２４００は、上部が第１レンズ部２３００の最下側レンズの下面と第２レンズ収容ホール２２３０の上面に接し、下部が第２レンズ部２５００の最上側レンズの上面と第２レンズ収容ホール２２３０の下面に支持されて固定されることができる。液体レンズ２４００はレンズホルダー２２００の一側面から挿入されてホール２２１０に収容されることができる。液体レンズ２４００は挿入ホール２２３２を通じて第２レンズ収容ホール２２３０に収容されることができる。液体レンズ２４００はメイン基板２７００と電気的に連結されることができる。液体レンズ２４００の界面の曲率は制御されることができる。
【０２３４】
液体レンズ２４００は基板とプレートが積層された形態であってもよい。液体レンズ２４００は、上部基板２４１０と、上部プレート２４２０と、コアプレート２４３０と、下部プレート２４４０と、下部基板２４５０とを含むことができる。
【０２３５】
上部基板２４１０は液体レンズ２４００の上部に配置されることができる。上部基板２４１０の下部には上部プレート２４２０が位置してもよい。上部基板２４１０とコアプレート２４３０の間には上部プレート２４２０が配置されることができる。上部基板２４１０の上面は第２レンズ収容ホール２２３０の上側内壁と接して位置してもよい。上部基板２４１０はコアプレート２４３０に配置された電極と電気的に連結されることができる。上部基板２４１０はメイン基板２７００と電気的に連結されることができる。上部基板２４１０はメイン基板２７００によって制御され、後述するコアプレート２４３０の電極部ａに電源を印加することができる。上部基板２４１０は、電極部ａに印加される電流の方向、強度、波長及び電流が印加される位置を変更することができる。
【０２３６】
上部基板２４１０は、上部回路基板２４１０ａと上部連結基板２４１６ｂを含むことができる。
【０２３７】
上部回路基板２４１０ａはＰＣＢ（Ｐｒｉｎｔｅｄ  Ｃｉｒｃｕｉｔ  Ｂｏａｒｄ）であってもよい。上部回路基板２４１０ａはプレート状であってもよい。上部回路基板２４１０ａは方形プレート状であってもよい。
【０２３８】
上部回路基板２４１０ａには、後述するキャビティ２４３１と対応（対向）する部分又はキャビティ２４３１と対応（対向）する部分から放射状に拡張した部分から一側辺に伸びた上部ガイドホール２４１５が形成されることができる。一側辺は液体レンズ２４００が挿入ホール２２３２に挿入される方向の導入部に位置する辺であり得る。これは、液体レンズ２４００の挿入時、第１レンズ部２３００の最下側レンズの底面と上部回路基板２４１０ａ間の摩擦を最小化するためである。上部ガイドホール２４１５によって第１レンズ部２３００の最下側レンズの底面は上部プレート２４２０に接して支持されることができる。その結果、既に挿入された第１レンズ部２３００のレンズが揺れなしに既設定の位置に固定されることができる。さらに、液体レンズ２４００の挿入時に発生する摩擦によって上部回路基板２４１０ａが摩耗するとか上部回路基板２４１０ａが上部プレート２４２０又はコアプレート２４３０から脱着して剥離される現象を防止することができる。
【０２３９】
上部回路基板２４１０ａには、反時計方向に第１上部コーナー部２４１１と第２上部コーナー部２４１２と第３上部コーナー部２４１３と第４上部コーナー部２４１４が位置してもよい。上部回路基板２４１０ａの第１〜第４上部コーナー部２４１１、２４１２、２４１３、２４１４はコアプレート２４３０のコーナー部より内側に位置してもよい。すなわち、上部基板２４１０のコーナー部はコアプレート２４３０のコーナー部の内側に位置してもよい。これは、液体レンズ２４００の挿入時、第１〜第４上部コーナー部２４１１、２４１２、２４１３、２４１４と２レンズ収容ホール２２３０の上側内壁及び側壁との摩擦を最小化するためである。その結果、第１〜第４上部コーナー部２４１１、２４１２、２４１３、２４１４とコアプレート２４３０間の接着が解除されて上部回路基板２４１０ａが剥離される現象を防止することができる。本発明の変形例（図示せず）においては、上部回路基板２４１０ａの辺はコアプレート２４３０の辺より内側に位置してもよい。
【０２４０】
第１〜第４上部コーナー部２４１１、２４１２、２４１３、２４１４はコアプレート２４３０と電気的に連結されることができる。第１〜第４上部コーナー部２４１１、２４１２、２４１３、２４１４はこれと対応（対向）するコアプレート２４３０の電極部ａと電気的に連結されることができる。第１上部コーナー部２４１１は第１電極部ａ１と電気的に連結されることができる。第２上部コーナー部２４１２は第２電極部ａ２と電気的に連結されることができる。第３上部コーナー部２４１３は第３電極部ａ３と電気的に連結されることができる。第４上部コーナー部２４１４は第４電極部ａ４と電気的に連結されることができる。第１〜第４上部コーナー部２４１１、２４１２、２４１３、２４１４と第１〜第４電極部ａ１、ａ２、ａ３、ａ４は４個の上部導電部（図示せず）を介して電気的に連結されることができる。この場合、上部導電部（図示せず）は後述する第１〜第４上部コーナー部２４１１、２４１２、２４１３、２４１４と対応（対向）する第１〜第４上部湾入部２４２１、２４２２、２４２３、２４２４を通ることができる。また、上部導電部は伝導性エポキシからなることができる。その結果、第１〜第４上部コーナー部２４１１、２４１２、２４１３、２４１４と第１〜第４電極部ａ１、ａ２、ａ３、ａ４は伝導性エポキシによって接着されることができる。また、上部導電部は電極パッドであってもよい。
【０２４１】
変形例（図示せず）においては、上部プレートに形成された湾入部は上部プレートの辺に形成されることができる。上部プレートに形成された湾入部はコアプレートの内側に形成されることができる。
【０２４２】
上部連結基板２４１０ｂは、ＦＰＣＢ（Ｆｒｅｘｉｂｌｅ  Ｐｒｉｎｔｅｄ  Ｃｉｒｃｕｉｔ  Ｂｏａｒｄ）であってもよい。上部連結基板２４１０ｂは上部回路基板２４１０ａと電気的に連結されることができる。上部連結基板２４１０ｂは、メイン基板２７００と電気的に連結されることができる。その結果、メイン基板２７００は上部連結基板２４１０ｂと上部回路基板２４１０ａを介して第１〜第４電極部ａ１、ａ２、ａ３、ａ４に電源を印加することができる。
【０２４３】
上部連結基板２４１０ｂは、上部回路基板２４１０ａの他側辺から下側に伸びて位置してもよい。他側辺は液体レンズ２４００が挿入ホール２２３２に挿入される方向の末尾に位置する辺であり得る。上部連結基板２４１０ｂと上部回路基板２４１０ａの接合部は丸く形成されることができる。上部連結基板２４１０ｂは、基板収容溝２２３４に収容されて下側に伸びることができる。この場合、外側にはカバー部材２１００が位置するので、上部連結基板２４１０ｂが外部から保護されることができる。
【０２４４】
上部プレート２４２０は上部基板２４１０の下部に位置してもよい。上部プレート２４２０は上部基板２４１０と接することができる。上部プレート２４２０はコアプレート２４３０の上部に位置してもよい。上部プレート２４２０はコアプレート２４３０と接することができる。上部プレート２４２０の上側面は第１ガイドホール２４１５を貫通した第１レンズ部２３００の最下側レンズの底面と接することができる。その結果、第１レンズ部２３００の最下側レンズは上部プレート２４２０によって支持されることができる。
【０２４５】
上部プレート２４２０は透明素材からなることができる。上部プレート２４２０は絶縁性を有することができる。上部プレート２４２０はガラス素材からなることができる。上部プレート２４２０は反射防止コーティング（Ａｎｔｉ  Ｒｅｆｌｅｃｔｉｏｎ  Ｃｏａｔｉｎｇ）されることができる。上部プレート２４２０は後述するキャビティ２４３１の上部をカバーすることができる。したがって、上部プレート２４２０はカバーグラスと言える。上部プレート２４２０の底面中央には第５上部凹部２４２５が位置してもよい。後述するように、本第１実施例においては、キャビティ２４３１の上部に伝導性液体Ｌ１が位置し、キャビティ２４３１の下部に非伝導性液体Ｌ２が位置するので、キャビティ２４３１に収容された伝導性液体Ｌ１は第５上部凹部２４２５に満たされることができる。第５上部凹部２４２５は後述する中央プレート２４３０の上面に環形にコーティングされた絶縁部ｂと対応（対向）することができる。第５上部凹部２４２５の面積は中央プレート２４３０の上面に環形にコーティングされた絶縁部ｂの面積より広くてもよい。その結果、第５上部凹部２４２５に満たされた伝導性液体は第１〜第４電極ａ１、ａ２、ａ３、ａ４と接することができる。
【０２４６】
上部プレート２４２０の頂点部又は外周又はコーナー部には反時計方向に第１上部湾入部２４２１、第２上部湾入部２４２２、第３上部湾入部２４２３及び第４上部湾入部２４２４が位置してもよい。上部プレート２４２０の角部は内側に切り取られることにより、反時計方向に第１上部湾入部２４２１、第２上部湾入部２４２２、第３上部湾入部２４２３及び第４上部湾入部２４２４が形成されることができる。第１〜第４上部湾入部２４２１、２４２２、２４２３、２４２４は第１〜第４上部コーナー部２４１１、２４１２、２４１３、２４１４と第１〜第４電極ａ１、ａ２、ａ３、ａ４の間に位置してもよい。第１〜第４上部湾入部２４２１、２４２２、２４２３、２４２４を通じて第１〜第４コーナー部２４１１、２４１２、２４１３、２４１４と第１〜第４電極ａ１、ａ２、ａ３、ａ４が電気的に連結されることができる。第１〜第４上部湾入部２４２１、２４２２、２４２３、２４２４を通過する上部導電部（図示せず）によって第１〜第４コーナー部２４１１、２４１２、２４１３、２４１４と第１〜第４電極ａ１、ａ２、ａ３、ａ４は電気的に連結されることができる。この場合、上部導電部は伝導性エポキシからなることができる。また、上部導電部は電極パッドであってもよい。
【０２４７】
コアプレート２４３０は上部プレート２４２０の下部に位置してもよい。コアプレート２４３０は上部プレート２４２０と接することができる。コアプレート２４３０は下部プレート２４４０の上部に位置してもよい。コアプレート２４３０は下部プレート２４４０と接することができる。コアプレート２４３０の中央にはキャビティ２４３１が形成されることができる。キャビティ２４３１は第１液体Ｌ１と第２液体Ｌ２を収容することができる。コアプレート２４３０にはコアプレート２４３０の中央に貫設されたキャビティ２４３１が形成されることができる。コアプレート２４３０の表面とキャビティ２４３１の内側面には電極部ａがコーティングされることができる。コアプレート２４３０の上部には上部電極部が配置されることができる。上部電極部は互いに分割された第１〜第４電極部ａ１、ａ２、ａ３、ａ４を含むことができる。キャビティ２４３１の内壁とキャビティ２４３１の内壁からコアプレート２４３０の上部とコアプレート２４３０の下部に伸びた内壁電極部が配置されることができる。内壁電極部は互いに分割された第５〜第８電極部ａ５、ａ６、ａ７、ａ８を含むことができる。上部電極部と内壁電極部はコアプレート２４３０の上部（上面）で断絶されることができる。キャビティ２４３１の内壁の電極部ａに絶縁層ｂがコーティングされることができる。また、コアプレート２４３０の上面においてキャビティ２４３１の周辺の電極部ａに絶縁層ｂがコーティングされることができる。コアプレート２４３０は上部基板２４２０と電気的に連結されることができる。コアプレート２４３０は下部基板２４５０と電気的に連結されることができる。
【０２４８】
キャビティ２４３１はコアプレート２４３０に位置してもよい。キャビティ２４３１はコアプレート２４３０の中央に位置してもよい。キャビティ２４３１はコアプレート２４３０を通じて形成されることができる。キャビティ２４３１は上部から下部に行くほど幅が小さくなることができる。キャビティ２４３１は上部から下部に行くほど水平断面積が小さくなることができる。キャビティ２４３１には第１液体Ｌ１と第２液体Ｌ２が収容されることができる。キャビティ２４３１の内壁には電極部ａがコーティングされることができる。キャビティ２４３１の内壁には内壁電極部ａ５、ａ６、ｓ７、ａ８がコーティングされることができる。
【０２４９】
電極部ａの素材は伝導性金属であってもよい。電極部ａは上部電極部と内壁電極部を含むことができる。上部電極部は第１〜第４電極部ａ１、ａ２、ａ３、ａ４を含むことができる。内壁電極部は第５〜第８電極部ａ５、ａ６、ａ７、ａ８を含むことができる。電極部ａはコアプレート２４３０の表面にコーティングされることができる。電極部ａは上部基板２４１０と電気的に連結されることができる。電極部ａは上部基板２４１０と上部導電部（図示せず）を介して電気的に連結されることができる。この場合、上部導電部は伝導性エポキシからなることができる。また、上部導電部は電極パッドであってもよい。電極部ａは下部基板２４５０と電気的に連結されることができる。電極部ａは下部基板２４５０と下部導電部（図示せず）を介して電気的に連結されることができる。この場合、下部導電部は伝導性エポキシからなるとか電極パッドであってもよい。
【０２５０】
第１〜第４電極部（上部電極部）ａ１、ａ２、ａ３、ａ４はコアプレート２４３０の上部（上面）に配置されることができる。また、第１〜第４電極部ａ１、ａ２、ａ３、ａ４は第１液体Ｌ１と接して第１液体Ｌ１に電圧を印加することができる。第１〜第４電極部ａ１、ａ２、ａ３、ａ４は、反時計方向にコアプレート２４３０の上部（上面）を４個のセクターに分割することができる。
【０２５１】
第５〜第８電極部（内壁電極部）ａ５、ａ６、ａ７、ａ８はキャビティ２４３１の内壁とコアプレート２４３０の下面及び上面に配置されることができる。第５〜第８電極部ａ５、ａ６、ａ７、ａ８は、反時計方向にキャビティ２４３１の内壁とコアプレート２４３０の下面及び上面を４個のセクターに分割することができる。第５〜第８電極部（内壁電極部）ａ５、ａ６、ａ７、ａ８と第１及び第２液体Ｌ１、Ｌ２の間には絶縁層ｂが挟まれることができる。すなわち、第５〜第８電極部（内壁電極部）ａ５、ａ６、ａ７、ａ８と第１及び第２液体Ｌ１、Ｌ２は互いに接しない。
【０２５２】
第１〜第４電極部（上部電極部）ａ１、ａ２、ａ３、ａ４と第５〜第８電極部（内壁電極部）ａ５、ａ６、ａ７、ａ８はコアプレート２４３０の上部（上面）で互いに連結されなくてもよい。すなわち、第１〜第４電極部（上部電極部）ａ１、ａ２、ａ３、ａ４と第５〜第８電極部（内壁電極部）ａ５、ａ６、ａ７、ａ８はコアプレート２４３０の上部で断絶されることができる。
【０２５３】
第１〜第４電極部ａ１、ａ２、ａ３、ａ４のそれぞれの角部は上部基板２４１０の第１〜第４上部コーナー部２４１１、２４１２、２４１３、２４１４のそれぞれと対応（対向）することができる。第１〜第４電極部ａ１、ａ２、ａ３、ａ４のそれぞれの角部に対応（対向）する上部基板２４１０の第１〜第４上部コーナー部２４１１、２４１２、２４１３、２４１４のそれぞれは４個の上部導電部を介して電気的に連結されることができる。この場合、第１電極部ａ１と第１上部コーナー部２４１１は第１上部湾入部２４２１を通る（貫通する）上部導電部によって電気的に連結されることができる。また、第２電極部ａ２と第２上部角部２４１２は第２上部湾入部２４２２を通る（貫通する）上部導電部によって電気的に連結されることができる。また、第３電極部ａ３と第３上部コーナー部２４１３は第３上部湾入部２４２３を通る（貫通する）上部導電部によって電気的に連結されることができる。また、第４電極部ａ４と第４上部コーナー部２４１４は第４上部湾入部２４２４を通る（貫通する）上部導電部によって電気的に連結されることができる。この場合、上部導電部は伝導性エポキシからなるとか電極パッドであってもよい。その結果、上部基板２４１０によって第１〜第４電極部ａ１、ａ２、ａ３、ａ４に電源が印加されることができる。さらに、第１〜第４電極部ａ１、ａ２、ａ３、ａ４の一部にだけ電源が印加されることができる。また、第１〜第４電極部ａ１、ａ２、ａ３、ａ４に印加される電源の強度及び極性は制御されることができる。
【０２５４】
第５〜第８電極部ａ５、ａ６、ａ７、ａ８のそれぞれのコーナー部は下部基板２４５０の第１〜第４下部コーナー部２４５１、２４５２、２４５３、２４５４のそれぞれと対応（対向）することができる。第５〜第８電極部ａ５、ａ６、ａ７、ａ８のそれぞれのコーナー部に対応（対向）する下部基板２４５０の第１〜第４下部コーナー部２４５１、２４５２、２４５３、２４５４のそれぞれは４個の下部導電部（図示せず）を介して電気的に連結されることができる。この場合、第５電極部ａ５と第１下部コーナー部２４５１は第１下部湾入部２４４１を通る（貫通する）下部導電部を介して電気的に連結されることができる。また、第６電極部ａ６と第２下部コーナー部２４５２は第２上部湾入部２４４２を通る（貫通する）下部導電部を介して電気的に連結されることができる。また、第７電極部ａ７と第３下部コーナー部２４５３は第３下部チャネル２４４３を通る（貫通する）下部導電部を介して電気的に連結されることができる。また、第８電極部ａ８と第４下部コーナー部２４５４は第４下部湾入部２４４４を通る（貫通する）下部導電部を介して電気的に連結されることができる。この場合、下部導電部は伝導性エポキシからなるとか電極パッドであってもよい。その結果、下部基板２４５０によって第５〜第８電極部ａ５、ａ６、ａ７、ａ８に電源が印加されることができる。さらに、第５〜第８電極部ａ５、ａ６、ａ７、ａ８の一部にだけ電源が印加されることができる。また、第５〜第８電極部ａ５、ａ６、ａ７、ａ８に印加される電源の強度、極性は制御されることができる。
【０２５５】
絶縁層ｂは絶縁性重合体であってもよい。絶縁層ｂはパリレン（Ｐａｒｙｌｅｎｅ）コーティングであってもよい。絶縁層ｂは絶縁性（非伝導性）酸化物（ｏｘｉｄｅ）からなることができる。絶縁層ｂは電極部ａにコーティングされることができる。絶縁層ｂは電極部ａに積層されてコーティングされることができる。絶縁層ｂはキャビティ２４３１の内壁に沿って電極部ａにコーティングされることができる。絶縁層ｂはキャビティ２４３１と対向する下部プレート２４４０にコーティングされて配置されることができる。この場合、絶縁層ｂは下部プレート２４４０の上面と接することができる。また、後述する下部プレート２４４０の第５下部凹部２４４５に接することができる。絶縁層ｂはコアプレート２４３０の上面においてキャビティ２４３１の周囲に沿って電極部ａにコーティングされることができる。キャビティ２４３１の内壁と下部プレート２４４０とコアプレート２４３０の上面においてキャビティ２４３１の周囲に沿って配置された絶縁層ｂは一体に形成されることができる。その結果、絶縁層ｂは第１液体Ｌ１及び第２液体Ｌ２と接して第１液体Ｌ１及び第２液体Ｌ２を収容することができる。絶縁層ｂの厚さは２００ｎｍ以上であってもよい。特に、下部プレート２４４０に配置される絶縁層ｂの厚さが２００ｎｍ未満の場合は使用時に摩耗することがあるため好ましくない。絶縁層ｂを透過する光の透過率は８５％以上であり得る。特に、４３０ｎｍ〜６８０ｎｍ範囲の波長を有する光に対して絶縁層ｂの透過率は８５％以上であり得る。それ未満の場合、イメージセンサーに照射される十分な光量を確保することができないため、出力されるイメージ又は動画の解像度が下がる。
【０２５６】
下部プレート２４４０は下部基板２４５０の上部に位置してもよい。下部プレート２４４０は下部基板２４５０と接することができる。下部プレート２４４０はコアプレート２４３０の下部に位置してもよい。下部プレート２４４０はコアプレート２４３０と接することができる。下部プレート２４４０の下面は第２ガイドホール２４５５を貫通した第２レンズ部２５００の最上側レンズの上面と接することができる。その結果、第２レンズ部２５００の最上側レンズは下部プレート２４４０によって固定されることができる。本変形例（図示せず）においては、下部プレートに形成された湾入部は下部プレートの辺に形成されることができる。下部プレートに形成された湾入部はコアプレートの内側に凹むように形成されることができる。
【０２５７】
下部プレート２４４０は透明素材からなることができる。下部プレート２４４０は絶縁性を有することができる。下部プレート２４４０はガラス素材からなることができる。下部プレート２４４０は反射防止コーティング（Ａｎｔｉ  Ｒｅｆｌｅｃｔｉｏｎ  Ｃｏａｔｉｎｇ）されることができる。下部プレート２４４０は後述するキャビティ２４３１の下部をカバーすることができる。したがって、下部プレート２４４０はカバーグラスと言える。下部プレート２４４０には絶縁層ｂが形成されることができる。下部プレート２４４０の上面においてキャビティ２４３１と対向する部分は絶縁層ｂでコーティングされることができる。下部プレート２４４０の底面中央には第５下部凹部２４４５が位置してもよい。下部プレート２４４０の第５下部凹部２４４５は絶縁層ｂによってコーティングされることができる。その結果、第５下部凹部２４４５に満たされた第２液体Ｌ２は第５〜第８電極ａ５、ａ６、ａ７、ａ８と接することができない。
【０２５８】
下部プレート２４４０のコーナー部には、反時計方向に第１下部湾入部２４４１、第２下部湾入部２４４２、第３下部湾入部２４４３及び第４下部湾入部２４４４が位置してもよい。下部プレート２４４０のコーナー部は内側に切り取られることにより、反時計方向に第１下部湾入部２４４１、第２下部湾入部２４４２、第３下部湾入部２４４３及び第４下部湾入部２４４４が形成されることができる。第１〜第４下部湾入部２４４１、２４４２、２４４３、２４４４は第１〜第４下部コーナー部２４５１、２４５２、２４５３、２４５４と第５〜第８電極ａ５、ａ６、ａ７、ａ８の間に位置してもよい。第１〜第４下部湾入部２４４１、２４４２、２４４３、２４４４を通じて第１〜第４下部コーナー部２４５１、２４５２、２４５３、２４５４と第５〜第８電極ａ５、ａ６、ａ７、ａ８は電気的に連結されることができる。第１〜第４下部湾入部２４４１、２４４２、２４４３、２４４４を通る下部導電部（図示せず）を介して第１〜第４下部コーナー部２４５１、２４５２、２４５３、２４５４と第５〜第８電極ａ５、ａ６、ａ７、ａ８は電気的に連結されることができる。この場合、下部導電部は伝導性エポキシからなることができる。
【０２５９】
下部基板２４５０は液体レンズ２４００の最下側に位置してもよい。下部基板２４５０の上部には上部プレート２４４０が位置してもよい。下部基板２４５０の下面は第２レンズ収容ホール２２３０の下側内壁と接して位置してもよい。下部基板２４５０はコアプレート２４３０と電気的に連結されることができる。下部基板２４５０はメイン基板２７００と電気的に連結されることができる。下部基板２４５０はメイン基板２７００によって制御されて、後述するコアプレート２４３０の第５〜第８電極部ａ５、ａ６、ａ７、ａ８に電源を印加することができる。下部基板２４５０は、第５〜第８電極部ａ５、ａ６、ａ７、ａ８に印加される電流の方向、強度、波長及び電流が印加される位置を変更することができる。
【０２６０】
下部基板２４５０は、下部回路基板２４５０ａと下部連結基板２４５０ｂを含むことができる。
【０２６１】
下部回路基板２４５０ａはＰＣＢ（Ｐｒｉｎｔｅｄ  Ｃｉｒｃｕｉｔ  Ｂｏａｒｄ）であってもよい。下部回路基板２４５０ａはプレート状を有することができる。下部回路基板２４５０ａは方形プレート状を有することができる。
【０２６２】
下部回路基板２４５０ａには、後述するキャビティ２４３１と対応（対向）する部分又はキャビティ２４３１と対応（対向）する部分において放射状に拡張した部分に下部ガイドホール２４５５が形成されることができる。したがって、下部ガイドホール２４５５により、第２レンズ部２５００の最上側レンズの上面は下部プレート２４４０に接して固定されることができる。すなわち、第２レンズ部２５００の最上側レンズが電気制御の面で重要であり、摩擦によって摩耗及び剥離し得る下部回路基板２４５０ａに接して固定されず、比較的安定的な下部プレート２４４０に接して固定されることができる。
【０２６３】
下部回路基板２４５０ａには、反時計方向に第１下部コーナー部２４５１と第２下部コーナー部２４５２と第３下部コーナー部２４５３と第４下部コーナー部２４５４が位置してもよい。下部回路基板２４５０ａの第１〜第４下部コーナー部２４５１、２４５２、２４５３、２４５４はコアプレート２４３０のコーナー部より内側に位置してもよい。すなわち、下部基板２４５０のコーナー部はコアプレート２４３０のコーナー部より内側に位置してもよい。これは、液体レンズ２４００の挿入時、第１〜第４下部コーナー部２４５１、２４５２、２４５３、２４５４と第２レンズ収容ホール２２４０の下側内壁及び側壁との摩擦を最小化するためである。その結果、第１〜第４下部コーナー部２４５１、２４５２、２４５３、２４５４とコアプレート２４３０間の接着が解除されて下部回路基板２４５０ａが剥離される現象を防止することができる。
【０２６４】
第１〜第４下部コーナー部２４５１、２４５２、２４５３、２４５４はコアプレート２４３０と電気的に連結されることができる。第１〜第４下部コーナー部２４５１、２４５２、２４５３、２４５４はこれと対応（対向）するコアプレート２４３０の電極部ａと電気的に連結されることができる。第１下部コーナー部２４５１は第５電極部ａ５と電気的に連結されることができる。第２下部コーナー部２４５２は第６電極部ａ６と電気的に連結されることができる。第３下部コーナー部２４５３は第７電極部ａ７と電気的に連結されることができる。第４下部コーナー部２４５４は第８電極部ａ８と電気的に連結されることができる。第１〜第４下部コーナー部２４５１、２４５２、２４５３、２４５４と第５〜第８電極部ａ５、ａ６、ａ７、ａ８は４個の下部導電部（図示せず）を介して電気的に連結されることができる。この場合、下部導電部（図示せず）は後述する第１〜第４下部コーナー部２４５１、２４５２、２４５３、２４５４と対応（対向）する第１〜第４下部湾入部２４４１、２４４２、２４４３、２４４４を通ることができる。また、下部導電部は伝導性エポキシからなることができる。その結果、第１〜第４下部コーナー部２４５１、２４５２、２４５３、２４５４と第５〜第８電極部ａ５、ａ６、ａ７、ａ８は伝導性エポキシによって接着されることができる。また、第１〜第４下部コーナー部２４５１、２４５２、２４５３、２４５４と第５〜第８電極部ａ５、ａ６、ａ７、ａ８は電極パッドによって連結されることができる。
【０２６５】
下部連結基板２４５０ｂはＦＰＣＢ（Ｆｒｅｘｉｂｌｅ  Ｐｒｉｎｔｅｄ  Ｃｉｒｃｕｉｔ  Ｂｏａｒｄ）であってもよい。下部連結基板２４５０ｂは下部回路基板２４５０ａと電気的に連結されることができる。下部連結基板２５０ｂはメイン基板２７００と電気的に連結されることができる。その結果、メイン基板２７００は下部連結基板２４５０ｂ及び下部回路基板２４５０ａを介して第５〜第８電極部ａ５、ａ６、ａ７、ａ８に電源を印加することができる。
【０２６６】
下部連結基板２４５０ｂは、下部回路基板２４５０ａの他側辺から下側に伸びて位置してもよい。他側辺は液体レンズ２４００が挿入ホール２２３２に挿入される方向の末尾に位置する辺であり得る。下部連結基板２４５０ｂと下部回路基板２４５０ａの接合部は丸く形成されることができる。下部連結基板２４５０ｂは基板収容溝２２３４に収容されて下側に伸びることができる。この場合、外側にはカバー部材２１００が位置するから、下部連結基板２４５０ｂは外部から保護されることができる。
【０２６７】
以下では、図２３を参照して本第１実施例の多様な液体レンズ２４００について説明する。以下、被写体で反射された光は液体レンズ２４００を上部から下部に透過する。また、多様な液体レンズ２４００において、上述したような技術的思想を有する上部基板２４１０と下部基板２４５０についての図示及び説明は省略した。
【０２６８】
図２３ａの液体レンズ２４００は、上部プレート２４２０に第５上部凹部２４２５が形成され、下部プレート２４４０に第５下部凹部２４４５が形成されることができる。電極部ａはキャビティ２４３１の内壁とコアプレート２４３０の上面及び下面に配置されている。上部電極部ａ１、ａ２、ａ３、ａ４はコアプレート２４３０の上面に配置され、コアプレート２４３０の上面のキャビティ２４３１の周囲で断絶されることができる。内壁電極部ａ５、ａ６、ａ７、ａ８はコアプレート２４３０の上面のキャビティ２４３１の周囲とキャビティ２４３１の内壁とコアプレート２４３０の下面に配置され、コアプレート２４３０の上面のキャビティ２４３１の周囲で断絶されることができる。すなわち、上部電極部ａ１、ａ２、ａ３、ａ４と内壁電極部ａ５、ａ６、ａ７、ａ８はコアプレート２４３０の上面で断絶されて互いに連結されなくてもよい。絶縁層ｂはコアプレート２４３０のキャビティ２４３１の周囲に沿って電極部ａに配置されることができる。この場合、絶縁層ｂは上部電極部ａ１、ａ２、ａ３、ａ４と内壁電極部ａ５、ａ６、ａ７、ａ８が断絶された部分を通って配置されることができる。また、第５下部凹部２４４５の上面に配置されることができる。その結果、絶縁層ｂは、底面が第５下部凹部２４４５に配置されることができ、底面からキャビティ２４３１の内壁に沿って伸びて内壁電極部ａ５、ａ６、ａ７、ａ８に配置されることができ、キャビティ２４３１の内壁においてコアプレート２４３０の上面に沿って内壁電極部ａ５、ａ６、ａ７、ａ８を通って上部電極部ａ１、ａ２、ａ３、ａ４に位置してもよい。第２液体Ｌ２はキャビティ２４３１の下部に配置されて絶縁層ｂの下部に収容されることができる。第１液体Ｌ１はキャビティ２４３１の上部に配置され、絶縁層ｂの上部と第５上部凹部２４２５に収容されることができる。この場合、第１液体Ｌ１は上部電極部ａ１、ａ２、ａ３、ａ４と接することができる。
【０２６９】
第１液体Ｌ１は伝導性液体であってもよく、第２液体Ｌ２は非伝導性液体であってもよい。第１液体Ｌ１は水を含むことができ、第２液体Ｌ２はオイル（Ｏｉｌ）を含むことができる。
【０２７０】
第１液体Ｌ１と第２液体Ｌ２は、第２液体Ｌ２の上部に第１液体Ｌ１が位置し、互いに屈折率が異なり、互いに接触して界面を形成することができる。界面は、電極部ａに印加された電圧によってキャビティ２４３１の内壁に沿って移動することができる。
【０２７１】
その結果、液体レンズ２４００は、電極部ａに電圧を印加しない初期状態でマイナス（−）ジオプターを有し、電極部ａに電圧を印加することによってプラス（＋）ジオプターを有することができる。すなわち、界面は初期状態で下方に凸状になる。この場合、液体レンズ２４００は凹レンズの機能を果たすことができる。電極部ａに電圧が印加されるに従って界面は次第に上方に凸状になり、液体レンズ２４００は凸レンズの機能を果たすことができる。また、初期状態で下方に凸状になっている界面の曲率半径は電極部ａに最大電圧を印加されたときの上方に凸状になっている界面の曲率半径より大きくなることができる。
【０２７２】
図２３ｂの液体レンズには図２３ａの液体レンズが同様に適用されることができる。ただ、図２３ａの液体レンズに比べ、第５下部凹部２４４５が省略された。その結果、絶縁層ｂが下部プレート２４４０においてキャビティ２４３１と対向する上面に直接配置されることができる。
【０２７３】
図２３ｃの液体レンズには図２３ａの液体レンズが同様に適用されることができる。ただ、図２３ａの液体レンズに比べ、第５下部凹部２４４５が省略された。さらに、下部プレート２４４０には絶縁層ｂが配置されなくてもよい。
【０２７４】
図２３ｄの液体レンズには図２３ａの液体レンズが同様に適用されることができる。ただ、キャビティ２４３１が斜めに形成されることができる。この場合、キャビティ２４３１の幅は下側に行くほど小さくなることができる。すなわち、キャビティ２４３１の水平断面積は下側に行くほど小さくなることができる。さらに、図２３ｅの液体レンズは図２３ｂの液体レンズにおいてキャビティ２４３１が傾いた場合であり、図２３ｆの液体レンズは図２３ｃの液体レンズにおいてキャビティ２４３１が傾いた場合である。
【０２７５】
図２３ｇには図２３ａの液体レンズが同様に適用されることができる。ただ、図２３ｈの液体レンズには第５上部凹部２４２５が形成されていない。その代わりに、上部プレート２４２０とコアプレート２４３０は第１接着部材２４２７と第２接着部材２４２８によって結合されることができる。すなわち、上部プレート２４２０とコアプレート２４３０は第１接着部材２４２７と第２接着部材２４２８によって離隔し、第２液体Ｌ２は離隔空間に満たされて上部電極ａ１、ａ２、ａ３、ａ４と接することができる。この場合、第１接着部材２４２７と第２接着部材２４２８は非伝導性物質からなることができる。図２３ｈの液体レンズは図２３ｂの液体レンズにおいて上部凹部２４２５の代わりに第１及び第２接着部材２４２７、２４２８が配置される場合であり、図２３ｉの液体レンズは図２３ｃの液体レンズにおいて上部凹部２４２５の代わりに第１及び第２接着部材２４２７、２４２８が配置される場合であり、図２３ｊの液体レンズは図２３ｄの液体レンズにおいて上部凹部２４２５の代わりに第１及び第２接着部材２４２７、２４２８が配置される場合であり、図２３ｋの液体レンズは図２３ｅの液体レンズにおいて上部凹部２４２５の代わりに第１及び第２接着部材２４２７、２４２８が配置される場合であり、図２３ｌの液体レンズは図２３ｆの液体レンズにおいて第５上部凹部２４２５の代わりに第１及び第２接着部材２４２７、２４２８が配置される場合である。
【０２７６】
図２３ａ〜図２３ｌに示した間隔２４２９は隣接した上部電極と内壁電極（例えば、ａ２／ａ３とａ６／ａ７）が互いに電気的に分離されしていることを意味する。一実施例において、絶縁層ｂを配置する工程によって絶縁層ｂが間隔２４２９に満たされることができ、これにより隣接した電極の間がより確かに電気的に分離されることができる。他の実施例において、絶縁層ｂが絶縁フィルムの場合、間隔２４２９は空間から具現されることもできる。
【０２７７】
本第１実施例の液体レンズ２４００は上下が反転してレンズモジュールに配置されることができる（図２４参照）。この場合、電極部ａに電圧を印加しない初期状態でプラス（＋）ジオプターを有し、電極部ａに電圧を印加することによってマイナス（−）ジオプターを有することができる。すなわち、界面は初期状態で上方に凸状になる。この場合、液体レンズ２４００は凸レンズの機能を果たすことができる。電極部ａに電圧が印加されるに従って界面は次第に下方に凸状になり、液体レンズ２４００は凹レンズの機能を果たすことができる。また、初期状態で上方に凸状になった界面の曲率半径は電極部ａに最大電圧が印加されたときの下方に凸状になった界面の曲率半径より大きくなることができる。
【０２７８】
第２レンズ部２５００は１以上のレンズを含むことができる。第２レンズ部２５００は３個のレンズを含むことができる。第２レンズ部２５００のレンズは積層状に位置してもよい。第２レンズ部２５００は第２レンズ収容ホール２２４０に収容されることができる。第２レンズ部２５００のレンズは、レンズの上部は第２レンズ収容ホール２２４０の段差部又はＯリングに接し、下部は下部レンズ又はＯリングに支持されて固定されることができる。第２レンズ部２５００の最上側レンズの上部は液体レンズ２４００の下部プレート２４４０の下面に接して固定されることができる。
【０２７９】
赤外線フィルター２６００はイメージセンサーに赤外線領域の光が入射することを遮断することができる。赤外線フィルター２６００はレンズモジュールとメイン基板２７００の間に位置してもよい。赤外線フィルター２６００はレンズモジュールとイメージセンサーの間に位置してもよい。赤外線フィルター２６００はフィルム素材又はガラス素材から形成されることができる。赤外線フィルター２６００は、撮像面保護用カバーガラス、カバーガラスのような平板状の光学的フィルターに赤外線遮断コーティング物質がコーティングされて形成されることができる。赤外線フィルター２６００は赤外線遮断フィルター又は赤外線吸収フィルターであってもよい。
【０２８０】
メイン基板２７００はＰＣＢ（Ｐｒｉｎｔｅｄ  Ｃｉｒｃｕｉｔ  Ｂｏａｒｄ）であってもよい。メイン基板２７００はレンズホルダー２２００を支持することができる。メイン基板２７００にはイメージセンサーが実装されることができる。一例として、メイン基板２７００の上面内側にはイメージセンサーが位置し、メイン基板２７００の上面外側にはレンズホルダー２２００が位置してもよい。このような構造により、レンズモジュールを通過した光がメイン基板２７００に実装されたイメージセンサーに照射されることができる。メイン基板２７００は液体レンズ２４００に電源を供給することができる。メイン基板２７００は上部基板２４１０を介して第１〜第４電極部ａ１、ａ２、ａ３、ａ４に電源を供給することができる。メイン基板２７００は下部基板２４５０を介して第５〜第８電極部ａ５、ａ６、ａ７、ａ８に電源を供給することができる。一方、メイン基板２７００には制御部が位置してもよい。したがって、第１〜第８電極部ａ１、ａ２、ａ３、ａ４、ａ５、ａ６、ａ７、ａ８に供給される電流の方向、強度、波長及び電流が印加される位置は制御されることができる。
【０２８１】
イメージセンサーはメイン基板２７００に実装されることができる。イメージセンサーはレンズモジュールと光軸が一致するように位置してもよい。これにより、イメージセンサーはレンズモジュールを通過した光を獲得することができる。イメージセンサーは照射される光を映像として出力することができる。イメージセンサーは、ＣＣＤ（ｃｈａｒｇｅ  ｃｏｕｐｌｅｄ  ｄｅｖｉｃｅ、電荷結合素子）、ＭＯＳ（ｍｅｔａｌ  ｏｘｉｄｅ  ｓｅｍｉ−ｃｏｎｄｕｃｔｏｒ、金属酸化膜半導体）、ＣＰＤ又はＣＩＤであってもよい。ただ、イメージセンサーの種類がこれに制限されるものではない。
【０２８２】
制御部はメイン基板２７００に実装されることができる。制御部は第１〜第８電極部ａ１、ａ２、ａ３、ａ４、ａ５、ａ６、ａ７、ａ８のそれぞれに供給される電流の方向、強度、波長などを制御することができる。制御部は液体レンズ２４００を制御して、カメラモジュール２０００のＡＦ機能及びＯＩＳ機能のいずれか一つ以上を果たすことができる。すなわち、制御部は液体レンズ２４００を制御して液体レンズ２４００の界面曲率を変化させることができる。
【０２８３】
ここで、図２１に示したように、下部基板２４５０が一つのパッドを含む下部連結基板２４５０ｂを介して制御部から一つの制御信号を受けることができ、第５〜第８電極部ａ５、ａ６、ａ７、ａ８は互いに電気的に連結されて前記一つの制御信号を受けることができる。すなわち、第５〜第８電極部ａ５、ａ６、ａ７、ａ８は一つの共通電極をなすことができる。
【０２８４】
また、上部基板２４１０が４個のパッドを含む下部連結基板２４１０ｂを介して制御部から４個の制御信号を受けることができ、第１〜第４電極部ａ１、ａ２、ａ３、ａ４はそれぞれ独立的に４個の制御信号のいずれか一つを受信することができる。すなわち、第１〜第４電極部ａ１、ａ２、ａ３、ａ４はそれぞれ４個の個別電極を構成することができる。
【０２８５】
また、本発明の他の実施例は、上部基板が一つのパッドを含むこともでき、下部基板が４個のパッドを含むこともでき、残りの構成もこれに対応して変形されて適用されることもできる。
【０２８６】
以下では、本第２実施例のカメラモジュール２００１の構成を図面に基づいて説明する。図２５は本第２実施例のカメラモジュールを示した分解斜視図、図２６は本第２実施例の液体レンズを示した分解斜視図、図２７は本第２実施例のカメラモジュールを示した断面図である。
【０２８７】
本第２実施例のカメラモジュール２００１構成は第１実施例カメラモジュール２０００の構成が同様に適用されることができる。本第２実施例の液体レンズ２４００は、上下部基板２４１０、２４５０を除き、本第１実施例のカメラモジュール２０００の液体レンズ２４００の構成が同様に適用されることができる。以下、本第１実施例の上下部基板２４１０、２４５０と違う技術的特徴を含む構成を中心に本第２実施例の上下部基板２４１０、２４５０の構成を説明する。
【０２８８】
液体レンズ２４００は基板とプレートが積層された形状であってもよい。液体レンズ２４００は、上部基板２４１０と、上部プレート２４２０と、コアプレート２４３０と、下部プレート２４４０と、下部基板２４５０とを含むことができる。
【０２８９】
上部基板２４１０は上部回路基板２４１０ａを含むことができ、上部基板２４１０と下部基板２４５０は第１上下部連結基板２４１０ｃと第２上下部連結基板２４１０ｄによって電気的に連結されることができる。第１実施例の上部基板２４１０とは違い、上部連結基板２４１０ｂは省略されることができる。これは、下部基板２４５０の下部連結基板２４５０ｂによってメイン基板２７００と電気的に連結されることができるからである。ただ、変形例（図示せず）においては、上部基板が上部連結基板を含み、下部基板の下部連結基板が省略されることができる。したがって、この場合、下部基板は上部基板の上部連結基板を介してメイン基板２７００と電気的に連結されることができる。すなわち、本第２実施例の変形例で例示するように、第１上下部連結基板２４１０ｃ及び／又は第２上下部連結基板２４１０ｄが存在する場合、上部連結基板又は下部連結基板のいずれか一つが省略されることができる。さらに、本第２実施例のように上部基板２４１０と下部基板２４５０が電気的に連結されて一体になった場合、電極部ａのコーティング構造が単純になる。
【０２９０】
上部回路基板２４１０ａはＰＣＢ（Ｐｒｉｎｔｅｄ  Ｃｉｒｃｕｉｔ  Ｂｏａｒｄ）であってもよい。上部回路基板２４１０ａはプレート状を有することができる。上部回路基板２４１０ａは方形プレート状を有することができる。
【０２９１】
上部回路基板２４１０ａには、後述するキャビティ２４３１と対応（対向）する部分又はキャビティ２４３１と対応（対向）する部分において放射状に拡張した部分に上部ガイドホール２４１５が形成されることができる。本第１実施例の上部回路基板２４１０ａとは違い、上部ガイドホール２４１５が一側辺に伸びていなくてもよい。これは、液体レンズ２４００の挿入時、第１上下部連結基板２４１０ｃと第２上下部連結基板２４１０ｄが先頭で進入して、上部回路基板２４１０ａが摩耗するとか上部回路基板２４１０ａが上部プレート２４２０又はホールプレート２４３０から脱着されて剥離される現象を防止することができるからである。
【０２９２】
上部回路基板２４１０ａの第１〜第４上部コーナー部２４１１、２４１２、２４１３、２４１４は、本第１実施例の第１〜第４上部コーナー部２４１１、２４１２、２４１３、２４１４とは違い、コアプレートのコーナー部より内側に位置しなくてもよい。これは、液体レンズ２４００の挿入時、第１上下部連結基板２４１０ｃと第２上下部連結基板２４１０ｄが先頭で進入して、第１〜第４上部コーナー部２４１１、２４１２、２４１３、２４１４とコアプレート２４３０間の接着が解除されて上部回路基板２４１０ａが剥離される現象を防止することができるからである。
【０２９３】
第１及び第２上下部連結基板２４１０ｃ、２４１０ｄはＦＰＣＢ（Ｆｒｅｘｉｂｌｅ  Ｐｒｉｎｔｅｄ  Ｃｉｒｃｕｉｔ  Ｂｏａｒｄ）であってもよい。第１及び第２上下部連結基板２４１０ｃ、２４１０ｄは上部回路基板２４１０ａ及び下部回路基板２４５０ａを電気的に連結することができる。その結果、メイン基板２７００は下部回路基板２４５０ａと第１及び第２上下部連結基板２４１０ｃ、２４１０ｄと上部回路基板２４１０ａを介して第１〜第４電極部ａ１、ａ２、ａ３、ａ４に電源を印加することができる。
【０２９４】
第１及び第２上下部連結基板２４１０ｃ、２４１０ｄは互いに離隔して位置してもよい。第１及び第２上下部連結基板２４１０ｃ、２４１０ｄは上部回路基板２４１０ａの一側辺で上方に折り曲げられて（ｔｕｒｎｕｐ）下部回路基板２４５０ａの一側辺に連結されることができる。すなわち、第１及び第２上下部連結基板２４１０ｃ、２４１０ｄは湾曲状になることができる。この場合、一側辺は液体レンズ２４００が挿入ホール２２３２に挿入される方向の導入部に位置する辺であってもよい。
【０２９５】
下部基板２４５０は、下部回路基板２４５０ａと下部連結基板２４５０ｂを含むことができ、上部基板２４１０と下部基板２４５０は第１上下部連結基板２４１０ｃ及び第２上下部連結基板２４１０ｄを介して電気的に連結されることができる。上部基板２４１０と同一の理由で、下部基板２４５０の第１〜第４下部コーナー部２４５１、２４５２、２４５３、２４５４は、本第１実施例の第１〜第４下部コーナー部２４５１、２４５２、２４５３、２４５４とは違い、コアプレート２２３０のコーナー部より内側に位置しなくてもよい。
【０２９６】
以下、本第１及び第２実施例カメラモジュール２０００、２００１のＡＦ及びＯＩＳ機能について説明する。本第１及び第２実施例カメラモジュール２０００、２００１の機能は、キャビティ２４３１に収容される伝導性液体Ｌ１と非伝導性液体Ｌ２間の界面の曲率が変化することによって果たすことができる。
【０２９７】
伝導性液体Ｌ１はキャビティ２４３１の上部に位置してもよい。伝導性液体Ｌ１は上部凹部２４２５と第１〜第４電極部ａ１、ａ２、ａ３、ａ４と絶縁部ｂと非伝導性液体Ｌ２に接してキャビティ２４３１の上部に収容されることができる。伝導性液体Ｌ１は極性を有することができる。伝導性液体Ｌ１は、例えば水（ｗａｔｅｒ）であってもよい。
【０２９８】
非伝導性液体Ｌ２はキャビティ２４３１の下部に位置してもよい。非伝導性液体Ｌ２は絶縁部ｂと伝導性液体Ｌ１に接してキャビティ２４３１の下部に収容されることができる。非伝導性液体Ｌ１は無極性を有することができる。例えば、非伝導性液体Ｌ１は油（ｏｉｌ）であってもよい。非伝導性液体Ｌ１はシリコンであってもよい。
【０２９９】
伝導性液体Ｌ１と非伝導性液体Ｌ２の比重は同一であるとかほぼ同一であってもよい。したがって、伝導性液体Ｌ１と非伝導性液体Ｌ２が存在する系（ｓｙｓｔｅｍ）において重力は無視することができる。すなわち、伝導性液体Ｌ１と非伝導性液体Ｌ２が存在する系（ｓｙｓｔｅｍ）は重力の影響を少し受け、表面張力の影響を多く受ける。
【０３００】
伝導性液体Ｌ１と非伝導性液体Ｌ２間の界面は変わることができる。より詳細に、伝導性液体Ｌ１と非伝導性液体Ｌ２間の界面の曲率は制御されてＡＦ機能及びＯＩＳ機能を果たすことができる。
【０３０１】
ＡＦ機能の具現を一例を挙げて説明すると、キャビティ２４３１の上部に位置する第１〜第４電極部ａ１、ａ２、ａ３、ａ４とキャビティ２４３１の下部に位置する第５〜第８電極部ａ５、ａ６、ａ７、ａ８の極性が反対になるように電圧を印加すれば、キャビティ２４３１の上部に位置する伝導性液体Ｌ１は第１〜第４電極部ａ１、ａ２、ａ３、ａ４と接して位置し、第５〜第８電極部ａ５、ａ６、ａ７、ａ８と絶縁体ｂ及び非伝導性液体Ｌ２によって隔離して位置するため、エレクトロウェッティング現象が発生する。したがって、電圧の強度によって界面の曲率が変化してＡＦ機能を果たすことができる。電圧の強度は上述したように制御部によって制御されることができる。
【０３０２】
ＯＩＳ機能の具現の一例を挙げて説明すれば、キャビティ２４３１の上部に位置する第１〜第４電極部ａ１、ａ２、ａ３、ａ４の一部とキャビティ２４３１の下部に位置する第５〜第８電極部ａ５、ａ６、ａ７、ａ８の極性が反対になるように電圧を印加すれば、界面の曲率が第１〜第４電極部ａ１、ａ２、ａ３、ａ４の一側方向に偏るように変わることができる。したがって、電圧の強度及び第１〜第４電極部ａ１、ａ２、ａ３、ａ４のうち電圧が印加される電極部を選択してＯＩＳ機能を果たすことができる。電圧の強度及び電圧が印加される電極部は、上述したように、制御部によって制御されることができる。
【０３０３】
変形例（図示せず）においては、非伝導性液体がキャビティの上部に位置し、伝導性液体がキャビティの下部に位置してもよい。この場合、絶縁部が逆に位置してもよい。すなわち、上部凹部の一部に円形の絶縁部がコーティングされることができ、コアプレートの下面においてキャビティの周辺に沿って環形の絶縁部がコーティングされることができる。また、下部凹部の一部に円形の絶縁部がコーティングされなくてもよく、コアプレートの上面においてキャビティの周辺に沿って環形の絶縁部がコーティングされなくてもよい。このような構造では、上述した本第１及び第２実施例の作動を逆に遂行してＡＦ及びＯＩＳ機能を遂行することができる。
【０３０４】
以下、図面を参照して本第１及び第２実施例のレンズモジュールの製造方法について説明する。図２８は本第１実施例のレンズモジュールの製造方法を示した概念図、図２９は本第２実施例のレンズモジュールの製造方法を示した概念図、図３０は本第１及び第２実施例のレンズモジュールの製造方法を示したフローチャートである。
【０３０５】
本第１及び第２実施例のレンズモジュールの製造方法は、レンズホルダー２２００を成形する第１段階（Ｓ１）と、第１レンズ部２３００を挿入する第２段階（Ｓ２）と、挿入ホール２２３０を通じて液体レンズ２４００を挿入する第３段階（Ｓ３）と、第２レンズ部２５００を挿入する第４段階（Ｓ４）とを含むことができる。
【０３０６】
第１段階（Ｓ１）はレンズホルダー２２００を成形する段階である。レンズホルダー２２００はプラスチック射出によって成形することができる。レンズホルダー２２００は、ホール２２１０及び挿入ホール２２３０と対応するホール鋳型（図示せず）が形成されているメイン鋳型（図示せず）に溶融プラスチックを注入してから凝固させる過程で製作することができる。
【０３０７】
第２段階（Ｓ２）は第１レンズ部２３００を挿入する段階である。第１レンズ部２３００はホール２２１０の下側開口を通じて下側から上側に挿入することができる（矢印Ａ方向）。第１レンズ部２３００をホール２２１０に挿入し、第１レンズ収容ホール２２２０に収容させて固定させることができる。
【０３０８】
第３段階（Ｓ３）は液体レンズ２４００を挿入する段階である。液体レンズ２４００を挿入ホール２２３２を通じてレンズホルダー２２００の側面から挿入することができる（矢印Ｂ方向）。第１レンズ部２３００の最下側レンズの底面には、底面の周囲に沿って内側に傾いた傾斜部２３１０が形成されている。その結果、液体レンズ２４００の挿入時、第１レンズ部と上部プレート２４２０間の摩擦を減らすことができる。また、第１実施例の液体レンズ２４００の第１〜第４上部コーナー部２４１１、２４１２、２４１３、２４１４及び第１〜第４下部コーナー部２４５１、２４５２、２４５３、２４５４は内側方向に形成され、上部基板２４１０には液体レンズ２４００の挿入方向（矢印Ｂ方向）に上部ガイドホール２４１５が形成されている。その結果、液体レンズ２４００の挿入時、第１〜第４上部コーナー部２４１１、２４１２、２４１３、２４１４及び第１〜第４下部コーナー部２４５１、２４５２、２４５３、２４５４とコアプレート２４３０間の接着が解除されて上部回路基板２４１０ａが剥離される現象を防止することができる。液体レンズ２４００は挿入ホール２２３２を通じてホール２２１０に挿入され、第２レンズ収容ホール２２３０に収容されて固定されることができる。また、第２実施例の液体レンズ２４００には挿入方向（矢印Ｂ方向）に第１上下部連結基板２４１０ｃ及び第２上下部連結基板２４１０ｄが存在することができる。したがって、第１実施例の液体レンズ２４００と同一の効果を得ることができる。液体レンズ２４００は挿入ホール２２３２を通じてホール２２１０に挿入され、第２レンズ収容ホール２２３０に収容されて固定されることができる。
【０３０９】
第４段階（Ｓ４）は第２レンズ部２５００を挿入する段階である。第２レンズ部２５００はホール２２１０の下側開口を通じて下側から上側に挿入されることができる（矢印Ｃ方向）。第２レンズ部２５００はホール２２１０に挿入され、第３レンズ収容ホール２２４０に収容されて固定されることができる。
【０３１０】
本第１及び第２実施例のレンズモジュールの製造方法によると、液体レンズ２４００が側面から挿入されることができる。その結果、単一工程（１段階、Ｓ１）によって成形されたホール２２１０に第１レンズ部２３００と液体レンズ２４００と第２レンズ部２５００を全て収容することができるので、第１レンズ部２３００と液体レンズ２４００と第２レンズ部２５００の光軸が一致することができる。
【０３１１】
図１５〜図３０で説明したコアプレート２４３０、上部プレート２４２０及び下部プレート２４４０はそれぞれ第１プレート、第２プレート及び第３プレートと他に定義することができる。
【０３１２】
図３１はカメラモジュールの一実施例を示した図である。カメラモジュールは、レンズアセンブリー３１００及び制御回路３９９９を含むことができる。
【０３１３】
レンズアセンブリー３０００は、液体レンズ及び／又は固体レンズを含むことができる。液体レンズは、液体、プレート及び電極を含むことができる。液体は伝導性液体及び非伝導性液体を含むことができ、電極はプレートの上部又は下部に配置されることができる。また、電極は共通端子と複数の個別端子を含むことができる。共通端子は一つであってもよく、個別端子は複数であってもよい。プレートは、液体が配置されるキャビティを含む第１プレートを含むことができ、第１プレートの上部又は下部に第２プレートをさらに含むことができる。また、液体レンズは第３プレートをさらに含み、第２プレートと第３プレートの間に第１プレートが配置されることもできる。共通端子と個別端子の間に印加される駆動電圧によって、伝導性液体及び非伝導性液体が形成する界面の形状が変化して焦点距離を変更することができる。制御回路３９９９は液体レンズに駆動電圧を供給することができ、イメージセンサーが配置されるセンサー基板に配置されることができる。カメラモジュールはコネクタ３００１をさらに含むことができ、コネクタ３００１は制御回路３９９９と連結部３５０１を介して連結され、制御回路３９９９を外部の電源又はその他の装置と電気的に連結されることができる。
【０３１４】
制御回路３９９９の構成は撮像装置に要求される仕様によって他に設計されることができる。特に、レンズアセンブリー３０００に印加される動作電圧の大きさを減らすために、制御回路３９９９は単一チップ（ｓｉｎｇｌｅ  ｃｈｉｐ）から具現することができる。これにより、携帯用装置に搭載されるカメラ装置のサイズをさらに減らすことができる。
【０３１５】
レンズアセンブリー３０００は、第１レンズ部３１００、第２レンズ部３４００、液体レンズ３３００、ホルダー３５００及びカバー３６００を含むことができ、第１レンズ部３１００又は第２レンズ部３４００のいずれか一つを省略することができる。
【０３１６】
図示のレンズアセンブリー３０００の構造は一例に過ぎなく、カメラ装置に要求される仕様によってレンズアセンブリー３０００の構造は変わることができる。
【０３１７】
第１レンズ部３１００はレンズアセンブリー３０００の前方に配置され、レンズアセンブリー３０００の外部から光が入射する領域であり得る。第１レンズ部３１００は少なくとも一つのレンズから構成されることができ、あるいは２個以上の複数のレンズが中心軸を基準に整列されて光学系をなすこともできる。ここで、中心軸は光学系の光軸（Ｏｐｔｉｃａｌ  ａｘｉｓ）と同一であってもよい。
【０３１８】
第１レンズ部３１００は２個のレンズからなることができるが、必ずしもこれに限定されない。
【０３１９】
ホルダー３５００は上部及び下部が開放して貫通ホールが形成されることができ、第１レンズ部３２００、第２レンズ部３４００及び液体レンズ３３００はホルダー３５００の内部に形成された貫通ホールに装着されることができる。そして、第１及び第２レンズ部３１００、３４００を液体レンズ３３００と区別するために、第１及び第２固体レンズ部と言うこともできる。詳細には、第１レンズ部３１００はホルダー３５００の上部に配置されて結合され、第２レンズ部３４００はホルダー３５００の下部に配置されて結合されることができる。
【０３２０】
第１レンズ部３１００の前面には露出レンズ（図示せず）を備えることができ、露出レンズの前方にはカバーガラス（ｃｏｖｅｒ  ｇｌａｓｓ）が配置されることができる。露出レンズはホルダー３５００の外部に突出して外部に露出されるため、表面が損傷することがある。仮に、レンズの表面が損傷する場合、カメラモジュールで撮影されるイメージの画質が低下することがある。よって、露出レンズの表面損傷を防止又は抑制するために、カバーガラスを配置させるとかコーティング層を形成するとかあるいは露出レンズを表面損傷を防止するための耐磨耗性素材から構成する方法などを適用することができる。
【０３２１】
第２レンズ部３４００は第１レンズ部３１００及び液体レンズ３３００の後方に配置され、外部から第１レンズ部３１００に入射する光は液体レンズ３３００を通過して第２レンズ部３４００に入射することができる。第２レンズ部３４００は第１レンズ部３１００から離隔し、ホルダー３５００に形成された貫通ホールに配置されることができる。
【０３２２】
液体レンズ３３００は第１レンズ部３１００の下部に配置されることができ、第２レンズ部３４００は液体レンズ３３００の下部に配置されることができる。第２レンズ部３４００は少なくとも一つのレンズから構成されることができ、２個以上の複数のレンズを含む場合、中心軸を基準に整列されて光学系をなすこともできる。
【０３２３】
液体レンズ３３００は第１レンズ部３１００と第２レンズ部３４００の間に配置されることができる。液体レンズ３３００の構成は図３２などを参照して後述する。
【０３２４】
ホルダー３５００の内部には液体レンズ３３００と上部の第１レンズ部３１００及び下部の第２レンズ部３４００が固定されて配置されることができる。液体レンズ３３００は第１レンズ部３１００及び第２レンズ部３４００と同様に中心軸を基準に整列されることができる。
【０３２５】
液体レンズ３３００の第１及び第２連結電極３３５６、３３４６（図３２ｂ）が、ホルダー３５００の外部に露出された連結基板３３８０のパッド３３８５と電気的に連結されることができる。そして、連結基板３３８０は、例えばフレキシブルプリント回路基板（Ｆｌｅｘｉｂｌｅ  ｐｒｉｎｔｅｄ  ｃｉｒｃｕｉｔ  ｂｏａｒｄ）であってもよく、パッド３３８５は下部の回路基板３８００のパッド３８１０と電気的に連結されることができる。
【０３２６】
上述したパッド３３８５、３８１０はそれぞれ連結基板３３８０と回路基板３８００から露出される端子であってもよい。
【０３２７】
図示されてはいないが、第１電極３３５５と第１連結電極３３５６の間には伝導性エポキシが配置されることができ、第２電極３３４５と第２連結電極３３４６の間にも伝導性エポキシが配置されることができる。
【０３２８】
第１及び第２連結電極３３５６、３３４６は連結基板３３８０に配置されることができる。そして、連結基板３３８０は複数の端子を含む上部端子と複数の端子を含む下部端子からなることができる。ここで、上部端子は液体レンズ３３００の第１及び第２電極３３５５、３３４５と連結されることができ、上述した第１連結電極３３５６に相当することができる。そして、下部端子はセンサー基板の端子と連結されることができる。例えば、下部端子はパッド３３８５に対応することができ、センサー基板の端子は回路基板３８００のパッド３８１０に対応することができる。
【０３２９】
第１レンズ部３１００、第２レンズ部３４００、液体レンズ３３００及びホルダー３５００を取り囲むようにカバー（ｃｏｖｅｒ）３６００が配置され、カバー３６００とホルダー３５００などはベース３７００の上部に配置されることができる。ベース３７００は省略することができる。
【０３３０】
回路基板３８００はベース３７００の下部に配置され、パッド３８１０が液体レンズ３３００の第１及び第２電極３３５５、３３４５（図３２）に電流を供給することができる。
【０３３１】
そして、図示されてはいないが、第２レンズ部３４００の下部にはイメージセンサーなどの受光素子が配置されることができる。受光素子は上述した回路基板３８００と一緒にセンサー基板内に備えられることができる。イメージセンサー３９００の単位ピクセルの横長及び／又は縦長は、例えば２μｍ（マイクロメートル）以下であり得る。
【０３３２】
図３２ａ及び図３２ｂは図３１のカメラモジュールの液体レンズを示した図である。
【０３３３】
液体レンズ３３００は、伝導性の第１液体３３５０と非伝導性の第２液体３３４０を収容するキャビティ（ｃａｖｉｔｙ）が形成された第１プレート３３１０と、第１プレート３３１０の上部に配置される第１電極３３５５と、第１プレートの下部に配置される第２電極３３４５と、第１電極３３５５の上部に配置される第２プレート３３２０と、第２電極３３４５の下部に配置される第３プレート３３３０とを含むことができる。
【０３３４】
第１プレート３３１０は第２プレート３３２０と第３プレート３３３０の間に配置され、既設定の傾斜面（例えば、約５９〜６１度の角度を有する傾斜面）を有する上下の開口部を含むことができる。上述した傾斜面、第２プレート３３２０と接触する開口部及び第３プレート３３３０と接触する開口部で取り囲まれた領域を‘キャビティ（ｃａｖｉｔｙ）’と言える。
【０３３５】
第１プレート３３１０は第１及び第２液体３３５０、３３４０を収容する構造物である。第２プレート３３２０及び第３プレート３３３０は光が通過する領域を含んでいるので、透光性材料からなることができる。例えば、ガラス（ｇｌａｓｓ）からなることができ、工程の便宜上、第２プレート３３２０と第３プレート３３３０は同じ材料から形成されることができる。
【０３３６】
また、第１プレート３３１０は、光が透過しにくくするために、不純物を含むこともできる。
【０３３７】
第２プレート３３２０は第１レンズ部３１００から入射する光が前記のキャビティの内部に進行するときに入射する構成であり、第３プレート３３３０は上述したキャビティを通過した光が第２レンズ部３４００に進行するときに通過する構成である。
【０３３８】
上述したキャビティには互いに異なる性質の第１液体３３５０と第２液体３３４０が満たされることができ、第１液体３３５０と第２液体３３４０の間には界面が形成されることができる。第１液体３３５０と第２液体３３４０が成す界面は屈曲、傾斜度などが変わることができる。
【０３３９】
すなわち、電気で第１及び第２液体３３５０、３３４０の表面張力を変化させれば、固体レンズを動かして（レンズの間距離を調整して）焦点距離を調整することよってカメラ装置のサイズを小さくすることができるだけでなく、レンズをモーターなどで機械的に動かすことより電力消耗が低い。
【０３４０】
第２液体３３４０は非伝導性液体であってもよい。例えば、フェニル（ｐｈｅｎｙｌ）系のシリコンオイルであってもよい。
【０３４１】
第１液体３３５０は伝導性液体であってもよい。例えば、エチレングリコール（ｅｔｈｙｌｅｎｅ  ｇｌｙｃｏｌ）と臭化ナトリウム（ＮａＢｒ）が混合されて形成されることができる。
【０３４２】
第１液体３３５０と第２液体３３４０には殺菌剤及び酸化防止剤の少なくとも１種をそれぞれ含むことができる。殺菌剤はフェノール系酸化防止剤又はリン（Ｐ）系酸化防止剤であってもよい。そして、殺菌剤はアルコール系、アルデイト系及びフェノール系のいずれか１種の殺菌剤であってもよい。
【０３４３】
第１電極３３５５は第１プレート３３１０の上面一部領域に配置され、第２液体３３５０と直接接触することができる。第２電極３３４５は第１電極３３３５から離隔して配置され、第１プレート３３１０の上面、側面及び下面に配置されることができる。
【０３４４】
第１プレート３３１０の側面又は絶縁層３３６０の側面はキャビティの傾斜面又は側壁を成すことができる。第１電極３３５５は後述する絶縁層３３６０を挟んで第１液体３３５０及び第２液体３３４０と接触することができる。
【０３４５】
第１電極３３５５と第２電極３３４５は、第１液体３３５０と第２液体３３４０間の境界面を制御するために、外部の回路基板から受信される電気信号を印加することができる。
【０３４６】
第１電極３３５５と第２電極３３４５は導電性材料からなることができる。例えば、金属からなることができ、詳細にはクロム（Ｃｒ）を含むことができる。クロミウム（ｃｈｒｏｍｉｕｍ）又はクロム（Ｃｈｒｏｍ）は銀色の光沢を有する堅い遷移金属であり、壊れやすく、よく変色し、融点が高い。
【０３４７】
そして、クロミウムを含む合金は腐食に強くて堅いから、他の金属と合金した形態として使われることができる。特に、クロム（Ｃｒ）は腐食と変色が少ないから、キャビティを満たす導電性液体にも強い特徴がある。
【０３４８】
絶縁層３３６０は、キャビティの底面において第３プレート３３３０の上面と、キャビティの側壁を成す第２電極３１４５と、第１プレート３３１０の上面において第１電極３３５５の一部と、第１プレート３３１０及び第２電極３３４５とを覆うように配置されることができる。絶縁層３３６０は、例えばパリレンＣ（ｐａｒｙｌｅｎｅ  Ｃ）コーティング剤から具現されることができ、白色染料をさらに含むこともできる。白色染料はキャビティの側壁ｉを成す絶縁層３３６０で光が反射される頻度を増加させることができる。
【０３４９】
図示のように、第２液体３３４０は絶縁層３３６０を挟んで第３プレート３３３０と面接触し、第１液体３３５０は第２プレート３３２０と直接面接触することができる。
【０３５０】
キャビティは、第２プレート３３２０の方向の第１開口部と第３プレート３３３０方向の第２開口部を含むことができる。第１開口部の断面サイズが第２開口部の断面サイズより大きくてもよい。ここで、第１及び第２開口部のサイズは、開口部の断面が円形であれば半径を意味し、正方形であれば一辺の長さを意味することができる。
【０３５１】
第２プレート３３２０と第３プレート３３３０の縁部は方形であってもよいが、必ずしもこれに限定されない。
【０３５２】
第１電極３３５５は第２プレート３３２０の外周の少なくとも一領域で露出され、第２電極３３４５は第３プレート３３３０の外周の少なくとも一領域で露出されることができる。
【０３５３】
そして、第２プレート３３２０の外側領域の第１電極３３５５上には第１連結電極３３５６が配置され、第３プレート３３００の外側領域の第２電極３３４５上には第２連結電極３３４６が配置されることができる。
【０３５４】
第１連結電極３３５６と第２連結電極３３４６は、第１電極３３５５及び第２電極３３４５にそれぞれ一体型に構成されることもできる。
【０３５５】
第１連結電極３３５６と第２連結電極３３４６は、上述したように、フレキシブルプリント回路基板などの連結基板３３８０と電気的に連結されることができる。
【０３５６】
図３３及び図３４は図１のカメラモジュールのレンズアセンブリーの断面図、図３５は図３３及び図３４のカメラモジュールのレンズアセンブリーにおいて、液体レンズを除いた構造を示した図である。以下で、図３３〜図３５を参照して、実施例によるレンズアセンブリー第２間隔ｇａｐ２第１レンズ部３１００、液体レンズ３３００及び第２レンズ部３４００の配置を説明する。
【０３５７】
ホルダー３５００の内部には第１〜３領域ｒｅｇｉｏｎ１〜ｒｅｇｉｏｎ３を備えることができる。第１領域ｒｅｇｉｏｎ１には第１レンズ部３１００が挿入されることができ、第２領域ｒｅｇｉｏｎ２には液体レンズ３３００が配置されることができ、第３領域ｒｅｇｉｏｎ３には第２レンズ部３４００が配置されることができる。そして、第１領域ｒｅｇｉｏｎ１と第２領域ｒｅｇｉｏｎ２は互いに第１間隔ｇａｐ１だけ離隔し、第２領域ｒｅｇｉｏｎ２と第３領域ｒｅｇｉｏｎ３は互いに第２間隔ｇａｐ２だけ離隔することができる。そして、第１間隔ｇａｐ１は第１レンズ部３１００と液体レンズ３３００間の離隔距離であり、第２間隔ｇａｐ２は液体レンズ３３００と第２レンズ部３４００間の離隔距離であり得る。
【０３５８】
ホルダー３５００に形成された上述した貫通ホールは、前記の第１〜第３領域ｒｅｇｉｏｎ１〜ｒｅｇｉｏｎ３を含むことができる。
【０３５９】
ホルダー３５００は第１領域ｒｅｇｉｏｎ１の側面及び前面を取り囲むように配置され、第１領域の前面には第１レンズ部３１００と見合う領域からホルダー３５００の一部が除去されて開口部が形成されることができる。
【０３６０】
ホルダー３５００は第２領域ｒｅｇｉｏｎ２及び第３領域ｒｅｇｉｏｎ３の側面を取り囲むように配置されることができる。
【０３６１】
実施例によるレンズアセンブリー３０００において、ホルダー３５００は内部の貫通ホールを取り囲むように配置されることができる。
【０３６２】
図３５には、ホルダー３５００内の第１及び第３領域ｒｅｇｉｏｎ１、ｒｅｇｉｏｎ３内に第１レンズ部３１１０、３１２０と第２レンズ部３４１０、３４２０、３４３０が挿入され、第２領域ｒｅｇｉｏｎ２が空いている状態が示されている。
【０３６３】
ホルダー３５００の側面一部と上面一部を覆うようにカバー３６００が配置されることができる。ここで、ホルダー３５００の側面に形成されて液体レンズ３３００の出入口として使われることができる開口部もカバー３６００が覆うように配置されることができる。
【０３６４】
ホルダー３５００の側面には、液体レンズ３３００の出入口として使われることができる開口部が互いに対面する２個の側面に配置されることができ、それぞれを第１ホールと第２ホールと言える。そして、液体レンズ３３００の両端はホルダー３５００の両側面の第１及び第２ホールの外側に突出して配置されることができる。
【０３６５】
ホルダーは光軸方向に垂直な方向の側面に第１ホールを含むことができ、液体レンズが第１ホールに挿入されて、液体レンズの少なくとも一部が第１ホールに配置されることができる。
【０３６６】
ホルダーは、第２ホールを有する１側面と第１ホールと対面する第２ホールを有する第２側面とをさらに含むことができる。第１レンズ部及び第２レンズ部はホルダー内に配置されることができる。液体レンズは第１レンズ部と第２レンズ部の間に配置され、少なくとも一部が第１ホール及び／又は第２ホールに配置されることができる。第１レンズ部と第２レンズ部の間に配置される液体レンズは第１ホール及び第２ホールを通じてホルダーの側面に突出することができる。光軸方向を基準に、液体レンズの厚さはホルダーの第１ホール及び／又は第２ホールのサイズより小さくてもよい。
【０３６７】
ホルダーは、第１ホールと第２ホールの間に液体レンズが配置される第２領域を含むことができ、第２領域上に第１レンズ部が配置される第１領域を含むことができる。また、第２領域の下部に第２レンズ部が配置される第３領域を含むことができる。
【０３６８】
第１ホールから第２ホールに向かう方向に、液体レンズの長さは第１レンズ部及び／又は第２レンズ部の長さより長くてもよい。
【０３６９】
液体レンズは第１液体と第２液体が配置されるキャビティを含む第２プレートを含み、第１プレート上に配置される第１電極及び第１プレートの下に配置される第２電極を含むことができる。また、液体レンズは第１電極の上部に配置される第２プレート及び第２電極の下部に配置される第３プレートをさらに含むことができる。第２プレートと第３プレートはそれぞれホルダーとエポキシでボンディングされることができる。
【０３７０】
第２プレート及び第３プレートの少なくとも一つは、第１領域及び第３領域の少なくとも一領域から離隔することができる。
【０３７１】
第１レンズ部は複数のレンズを含み、第１レンズ部の複数のレンズのうち液体レンズと最も近接したレンズの光軸に垂直な方向への長さは、第１領域に最も近接した部分のキャビティの直径より大きくてもよい。第２レンズ部は複数のレンズを含み、第２レンズ部の複数のレンズのうち液体レンズと最も近接したレンズの光軸に垂直な方向への長さは第３領域に隣接した部分のキャビティの直径より大きくてもよい。
【０３７２】
第１領域においてホルダーの内壁は段差を有し、第１レンズ部は段差と接触することができる。第３領域においてホルダーの内壁は段差を有し、第２レンズ部は段差と接触することができる。
【０３７３】
第１プレートは第１プレートを貫通する貫通口を含み、上部電極の少なくとも一部と下部電極の少なくとも一部を貫通口に配置された伝導性蒸着層を介して連結することができる。
【０３７４】
そして、カバー３６００は液体レンズ３３００の上述した突出部を覆うとともにより外側に配置されることができる。カバー３６００はホルダーの側面及び上面の少なくとも一部を覆うことができ、第１ホール及び第２ホールを覆うことができる。
【０３７５】
第１及び第２ホールは、ホルダー３５００内に第１レンズ部３１００及び第２レンズ部３４００を配置し、第１及び第２レンズ部３１００、３４００の光学性能を評価した後、液体レンズ３３００を挿入するとき、液体レンズ３３００の出入口となることができる。実施例によるレンズアセンブリー３０００において、第２領域ｒｅｇｉｏｎ２の横方向への長さｄ４が、第１領域ｒｅｇｉｏｎ１の横方向への長さｄ１及び第３領域の横方向への長さｄ３より大きくてもよい。そして、液体レンズ３３００の第２プレート３３２０又は第３プレート３３３０の横方向への長さｄ２が、第１領域ｒｅｇｉｏｎ１の横方向への長さｄ１及び第３領域の横方向への長さｄ３より大きくてもよい。
【０３７６】
上述した第１領域ｒｅｇｉｏｎ１の横方向への長さｄ１は液体レンズ３３００と隣接した領域における第１レンズ部３１００の横方向への長さであってもよく、第１レンズ部３１００と隣接した領域におけるキャビティ（ｃａｖｉｔｙ）の横方向への長さｃ１より大きくてもよい。そして、上述した第３領域ｒｅｇｉｏｎ３の横方向への長さｄ３は液体レンズ３３００と隣接した領域における第２レンズ部３４００の横方向への長さであってもよく、第２レンズ部３４００と隣接した領域におけるキャビティ（ｃａｖｉｔｙ）の横方向への長さｃ２より大きくてもよい。
【０３７７】
このような構造は、液体レンズ３３００が第２領域ｒｅｇｉｏｎ２に挿入されるとき、液体レンズ３３００の第２プレート３３２０と第３プレート３３３０がそれぞれ第１領域ｒｅｇｉｏｎ１と第３領域ｒｅｇｉｏｎ３より側面にもっと突出し、よって液体レンズ３３００の第２プレート３３２０の上面と第３プレート３３３０の下面がそれぞれホルダー３５００と面接触して固定されることができる。
【０３７８】
第２プレート３３２０と第３プレート３３３０はそれぞれホルダー３５００とエポキシなどの接着剤でボンディングされることができる。液体レンズ３３００の少なくとも一部はホルダー３５００の内側面と接触せずに離隔することができる。
【０３７９】
また、液体レンズ３３００の第２プレート３３２０の上面がホルダー３５００と面接触する領域と第１プレート３３１０の上面３３１０ａは前記第１レンズ部３１００の下面３１００ｂより低く配置されることができる。液体レンズ３３００の第２プレート３３２０の上面がホルダー３５００と面接触する領域又は第１プレート３３１０の上面３３１０ａと前記第１レンズ部３１００の下面は第１間隔ｇａｐ１だけ離隔することができる。
【０３８０】
そして、液体レンズ３３００の第３プレート３３３０の下面がホルダー３５００と面接触する領域と第１プレート３３１０の下面３３１０ｂは第２レンズ部３４００の上面３４００ａより高く配置されることができる。液体レンズ３３００の第３プレート３３３０の下面がホルダー３５００と面接触する領域又は第１プレート３３１０の下面３３１０ｂと第２レンズ部３４００の上面は第２間隔ｇａｐ２だけ離隔することができる。
【０３８１】
図３３及び図３４において、第１及び第２連結電極３３５６、３３４６と第１及び第２接触電極３３５７、３３４７が連結され、第１及び第２接触電極３３５７、３３４７は連結基板３３８０と連結されることができ、あるいは第１及び第２連結電極３３５６、３３４６が直接連結基板３３８０と電気的に連結されることもできる。
【０３８２】
ホルダー３５００とカバー３６００間の空間は第２ホルダー３５５０で満たされ、ホルダー３５００と第２ホルダー３５５０は同じ材料から一体型になることもできる。
【０３８３】
第１レンズ部３１００は２個のレンズ３１１０、３１２０からなることができる。ここで、ホルダー３５００は第１レンズ部３１００が収容される第１領域ｒｅｇｉｏｎ１の内壁に段差構造を有することができ、前記段差構造においてそれぞれのレンズ３１１０、３１２０の縁部領域が面接触して固定されることができる。
【０３８４】
そして、第２レンズ部３４００は３個のレンズ３４１０、３４２０、３４３０からなることができる。ここで、ホルダー３５００は第２レンズ部３４００が収容される第３領域ｒｅｇｉｏｎ３の内壁に段差構造を有することができ、前記の段差構造においてそれぞれのレンズ３４１０、３４２０、３４３０の縁部領域が面接触して固定されることができる。
【０３８５】
実施例による液体レンズを含むカメラモジュールは、キャビティ内に導電性液体と非導電性液体を一緒に含むことができ、導電性液体と非導電性液体は互いに混合せずに境界面を有することができる。外部から第１及び第２電極３３５５、３３４５に印加される駆動電圧によって導電性液体と非導電性液体間の境界面が変形して液体レンズ３３００の曲率及び焦点距離が変更されることができる。
【０３８６】
このような境界面の変形及び曲率の変更が制御されれば、液体レンズ３３００とこれを含むレンズアセンブリー３０００及び撮像装置は、光学ズーム機能、オートフォーカシング（Ａｕｔｏ−Ｆｏｃｕｓｉｎｇ；ＡＦ）機能、手ぶれ補正又はオプティカルイメージスタビライゼーション （Ｏｐｔｉｃａｌ  Ｉｍａｇｅ  Ｓｔａｂｉｌｉｚｅｒ、ＯＩＳ）機能などを果たすことができ、カメラモジュールのサイズを小さくすることができ、電気でＡＦ又はＯＩＳ機能を遂行することにより、機械的にレンズを動かすことより電力消耗が低くなることができる。
【０３８７】
そして、液体レンズがホルダーに挿入され、液体レンズの上下面がホルダーと面接触するとともに第１及び第２レンズとは第１及び第２間隔ｇａｐ１、ｇａｐ２を置いて配置されるので、カメラモジュール内で光軸への整列とチルト（ｔｉｌｔｉｎｇ）防止が容易になることができる。
【０３８８】
カメラモジュールを製造する場合、上部及び下部が開放し、側面に第１ホール及び前記第１ホールと対面する第２ホールを備えたホルダーを準備し、前記ホルダーの上部に第１レンズ部を結合し、ホルダーの下部に第２レンズ部を結合した後、ホルダーの第１ホール及び／又は第２ホールを通じて挿入することができる。このとき、液体レンズは前記ホルダーの側面より突出して配置されることができる。
【０３８９】
ホルダーの側面より突出して配置される液体レンズの側面を支持して前記液体レンズの位置を調節するとき、液体レンズの中心（例えば、液体レンズの光軸、又は液体が配置される領域の中心など）と第１レンズ部又は第２レンズ部の中心（例えば、レンズの中心又は光軸）を整列するために位置を調節することができる。
【０３９０】
ホルダーの側面の第１及び第２ホールの外部に突出した液体レンズの部分を摘み、光軸の中心に液体レンズの中心が位置するように前記光軸に垂直な平面上で液体レンズの位置を移動することができ、あるいは前記光軸に垂直な平面上で液体レンズを回転させながら移動することもできる。そして、液体レンズの光軸がレンズアセンブリーの光軸と一致するように、液体レンズの光軸のチルト可否を確認して修正することができる。
【０３９１】
そして、エポキシなどの接着剤などでホルダーと液体レンズを結合することができる。例えば、液体レンズの第２プレートと第３プレートのそれぞれはホルダーとエポキシでボンディングされることができる。カメラモジュールを製造するとき、前記段階の少なくとも一部の段階の組合せで製造することができ、前記段階の順序は変わることができる。例えば、液体レンズを先にホルダーに配置した後、第１レンズ部又は第２レンズ部をホルダーに配置することができる。
【０３９２】
そして、第１及び第２レンズ部と液体レンズの光学性能を評価した後、チルト又はその他の問題が発見されれば、液体レンズを前記第１ホール及び第２ホールのいずれか一つを通じて交換することができる。
【０３９３】
本発明の一実施例によるカメラモジュールは、図１〜図６で説明した実施例の技術的特徴である第１特徴、図９〜図１４で説明した実施例の技術的特徴である第２特徴、図１５〜図３０で説明した実施例の技術的特徴である第３特徴、及び図３１〜図３５で説明した実施例の技術的特徴である第４特徴を全て含むことができる。
【０３９４】
例えば、前記カメラモジュールは、第１プレートの上面に配置された電極層が第１プレートの貫通口を通じて第１プレートの下面に配置された電極層と連結される特徴（第１特徴の一例）、ホルダーの側面に配置された挿入ホールを通じて液体レンズが挿入される特徴（第２特徴の一例）、一体に又は独立的に形成される上部基板と下部基板を用いて液体レンズの界面を制御するための電圧を供給するための構成又は製造方法（第３特徴の一例）、及び第１ホールと第２ホールを通じて液体レンズがホルダーの側面に突出して配置され、液体レンズがホルダーの内面から離隔して配置される特徴（第４特徴の一例）を全て含むことができる。
【０３９５】
本発明の他の実施例によるカメラモジュールは、必要によって前記第１特徴乃至前記第４特徴のいずれか一つ又は二つの特徴を省略することができる。
【０３９６】
他に説明すると、本発明の実施例によるカメラモジュールは、前記第１特徴乃至前記第４特徴のいずれか一つの特徴を含むとか、前記第１特徴乃至前記第４特徴の少なくとも二つ以上の特徴が組み合せられた技術的特徴を含むことができる。
【０３９７】
上述した液体レンズを含むカメラモジュールは、デジタルカメラ又はスマートフォン又はノートブック型パソコン及びタブレット（ｔａｂｌｅｔ）ＰＣなどの多様なデジタル機器（ｄｉｇｉｔａｌ  ｄｅｖｉｃｅ）に内蔵されることができ、特にモバイル機器に内蔵されて高性能及び超薄型のズームレンズを具現することができる。
【０３９８】
例えば、上述した液体レンズと第１及び第２レンズ部とフィルター及び受光素子を含むカメラモジュールで外部から入射したイメージを電気的信号に変換するデジタル機器又は光学機器は、電気的信号によって色が変化する複数のピクセルからなるディスプレイモジュールを含むことができる。ここで、ディスプレイモジュール及びカメラモジュールは制御部で制御することができる。
【０３９９】
以上で実施例に基づいて説明したが、これはただ例示するもので、本発明を限定するものではなく、本発明が属する分野の通常の知識を有する者であれば本実施例の本質的な特性を逸脱しない範疇内で以上で例示しなかったさまざまの変形及び応用が可能であることが分かるであろう。例えば、実施例に具体的に示した各構成要素は変形して実施することができるものである。そして、このような変形及び応用に係わる相違点は添付の請求範囲で規定する本発明の範囲に含まれるものと解釈されなければならないであろう。
【産業上の利用可能性】
【０４００】
本発明はレンズに関するもので、液体レンズを含むカメラモジュール及びこれを含む光学機器に適用可能である。
【図１】
2019515342.tif 000003
【図２】
2019515342.tif 000004
【図３】
2019515342.tif 000005
【図４】
2019515342.tif 000006
【図５】
2019515342.tif 000007
【図６】
2019515342.tif 000008
【図７】
2019515342.tif 000009
【図８】
2019515342.tif 000010
【図９】
2019515342.tif 000011
【図１０】
2019515342.tif 000012
【図１１】
2019515342.tif 000013
【図１２】
2019515342.tif 000014
【図１３】
2019515342.tif 000015
【図１４】
2019515342.tif 000016
【図１５】
2019515342.tif 000017
【図１６】
2019515342.tif 000018
【図１７】
2019515342.tif 000019
【図１８】
2019515342.tif 000020
【図１９】
2019515342.tif 000021
【図２０】
2019515342.tif 000022
【図２１】
2019515342.tif 000023
【図２２】
2019515342.tif 000024
【図２３ａ】
2019515342.tif 000025
【図２３ｂ】
2019515342.tif 000026
【図２３ｃ】
2019515342.tif 000027
【図２３ｄ】
2019515342.tif 000028
【図２３ｅ】
2019515342.tif 000029
【図２３ｆ】
2019515342.tif 000030
【図２３ｇ】
2019515342.tif 000031
【図２３ｈ】
2019515342.tif 000032
【図２３ｉ】
2019515342.tif 000033
【図２３ｊ】
2019515342.tif 000034
【図２３ｋ】
2019515342.tif 000035
【図２３ｌ】
2019515342.tif 000036
【図２４】
2019515342.tif 000037
【図２５】
2019515342.tif 000038
【図２６】
2019515342.tif 000039
【図２７】
2019515342.tif 000040
【図２８】
2019515342.tif 000041
【図２９】
2019515342.tif 000042
【図３０】
2019515342.tif 000043
【図３１】
2019515342.tif 000044
【図３２ａ】
2019515342.tif 000045
【図３２ｂ】
2019515342.tif 000046
【図３３】
2019515342.tif 000047
【図３４】
2019515342.tif 000048
【図３５】
2019515342.tif 000049
【手続補正書】
【提出日】平成30年12月27日(2018.12.27)
【手続補正１】
【補正対象書類名】明細書
【補正対象項目名】００２７
【補正方法】変更
【補正の内容】
【００２７】
レンズアセンブリーの一実施例は、内部に貫通孔が形成されたベースと、前記貫通孔に配置される第１レンズ部と、前記第１レンズ部から離隔して前記貫通孔に配置される第２レンズ部と、前記第１レンズ部と前記第２レンズ部の間に配置される液体レンズと部を含み、前記ベースは、前記液体レンズ部が挿入される挿入口を含むものであり得る。
【手続補正２】
【補正対象書類名】明細書
【補正対象項目名】００３８
【補正方法】変更
【補正の内容】
【００３８】
本実施例の液体レンズは、伝導性液体及び非伝導性液体を収容するキャビティが位置するコアプレートと、前記コアプレートの表面にコーティングされた電極部と、前記キャビティの内面に沿って前記電極部にコーティングされた絶縁部と、前記コアプレートの上側で、前記コアプレートと結合して前記コアプレートの上面一部を露出させる少なくとも一つの凹部が形成された上部プレートと、前記コアプレートの下側で、前記コアプレートと結合して前記コアプレートの下面一部を露出させる少なくとも一つの凹部が形成された下部プレートと、前記上部プレートの上側に位置する上部基板と、前記下部プレートの下側に位置する下部基板とを含み、前記上部基板と前記電極部は前記上部プレートに形成された凹部に配置される上部導電部を介して電気的に連結され、前記下部基板と前記電極部は前記下部プレートに形成された凹部に配置される下部導電部を介して電気的に連結されることができる。
【手続補正３】
【補正対象書類名】明細書
【補正対象項目名】００４７
【補正方法】変更
【補正の内容】
【００４７】
本実施例カメラモジュールは、上下方向に貫通するホールが形成されたレンズホルダーと、前記ホールに収容される液体レンズと、前記ホールに収容され、前記液体レンズの上部に配置される第１レンズ部と、前記ホールに収容され、前記液体レンズの下部に配置される第２レンズ部と、前記レンズホルダーの側面の一部を開放して、前記液体レンズが挿入される挿入ホールとを含み、前記液体レンズは、伝導性液体及び非伝導性液体を収容するキャビティが位置するコアプレートと、前記コアプレートの表面にコーティングされた電極部と、前記キャビティの内面に沿って前記電極部にコーティングされた絶縁部と、前記コアプレートの上側で、前記コアプレートと結合され、前記コアプレートの上面一部を露出させる少なくとも一つの凹部が形成された上部プレートと、前記コアプレートの下側で、前記コアプレートと結合され、前記コアプレートの下面一部を露出させる少なくとも一つの凹部が形成された下部プレートと、前記上部プレートの上側に位置する上部基板と、前記下部プレートの下側に位置する下部基板とを含み、前記上部基板と前記電極部は前記上部プレートに形成された凹部に配置される上部導電部を介して電気的に連結され、前記下部基板と前記電極部は前記下部プレートに形成された凹部に配置される下部導電部を介して電気的に連結されることができる。
【手続補正４】
【補正対象書類名】明細書
【補正対象項目名】００５３
【補正方法】変更
【補正の内容】
【００５３】
本実施例のカメラモジュールは、上下方向に貫通するホールが形成されたレンズホルダーと、前記ホールに収容される液体レンズと、前記ホールに収容され、前記液体レンズの上部に配置される第１レンズ部と、前記ホールに収容され、前記液体レンズの下部に配置される第２レンズ部と、イメージセンサーが実装されたメイン基板とを含み、前記レンズホルダーは、側面の一部を開放して、前記液体レンズが挿入される挿入ホールが形成され、前記液体レンズは、伝導性液体及び非伝導性液体を収容するキャビティが位置するコアプレートと、前記コアプレートの表面にコーティングされた電極部と、前記キャビティの内面に沿って前記電極部にコーティングされた絶縁部と、前記コアプレートの上側で、前記コアプレートと結合し、前記コアプレートの上面一部を露出させる少なくとも一つの凹部が形成された上部プレートと、前記コアプレートの下側で、前記コアプレートと結合して、前記コアプレートの下面一部を露出させる少なくとも一つの凹部が形成された下部プレートと、前記上部プレートの上側に位置する上部基板と、前記下部プレートの下側に位置する下部基板とを含み、前記上部基板と前記電極部は前記上部プレートに形成された凹部に配置される上部導電部を介して電気的に連結され、前記下部基板と前記電極部は前記下部プレートに形成された凹部に配置される下部導電部を介して電気的に連結されることができる。
【手続補正５】
【補正対象書類名】明細書
【補正対象項目名】００９０
【補正方法】変更
【補正の内容】
【００９０】
図１は一実施例のレンズを示した分解斜視図である。図２は一実施例のレンズを示した斜視図である。実施例のレンズは、コア１００、上部ガラス２００、下部ガラス３００、液体レンズ部４００及び後述する図４に示した絶縁層５００を含むことができる。
【手続補正６】
【補正対象書類名】明細書
【補正対象項目名】００９５
【補正方法】変更
【補正の内容】
【００９５】
コア１００は前記上部ガラス２００と下部ガラス３００の間に配置されるもので、後述する図４〜６に示した電極層１１０、中空１２０、貫通口１３０、及びパターン部１４０を含むことができる。
【手続補正７】
【補正対象書類名】明細書
【補正対象項目名】００９９
【補正方法】変更
【補正の内容】
【００９９】
パターン部１４０は前記コア１００の下面に形成され、後述する図６に例示した複数の端子１４３を備えることができる。前記パターン部１４０の具体的な構造は以下で図面を参照して説明する。
【手続補正８】
【補正対象書類名】明細書
【補正対象項目名】０１２１
【補正方法】変更
【補正の内容】
【０１２１】
前記第２パターン部１４２は後述する図７に示した外部プリント基板１０と電気的に連結されることができる。よって、前記第２パターン部１４２は外部プリント基板１０との連結を容易にするために一定間隔で整列され、互いに同一又は類似の形状を有する複数の端子１４３の一部位として備えられることができる。
【手続補正９】
【補正対象書類名】明細書
【補正対象項目名】０１３６
【補正方法】変更
【補正の内容】
【０１３６】
図９は一実施例のレンズアセンブリーを示した側断面図である。実施例のレンズアセンブリーは、第１レンズ部１１００、第２レンズ部１２００、液体レンズ部１３００、ベース１４００、プリント基板１５００及び後述する図１１に例示したカバー部材１６００を含むことができる。
【手続補正１０】
【補正対象書類名】明細書
【補正対象項目名】０１９８
【補正方法】変更
【補正の内容】
【０１９８】
図１４に示したように、前記突出コア１６１０はデバイスのカバー１０２０に形成される開口に挿入されることができる。このような構造により、図９〜図１２で説明したレンズアセンブリーの構造に比べ、実施例のレンズアセンブリーはレンズアセンブリーの光軸方向への全長を減らず、カバー部材１６００の形状変更とこれによるベース１４００の形状変更によって、レンズアセンブリーとこれを含むカメラモジュールがデバイスで占める空間を減らすことができる。
【手続補正１１】
【補正対象書類名】明細書
【補正対象項目名】０２２２
【補正方法】変更
【補正の内容】
【０２２２】
第２透過窓２２１１と第１レンズ収容ホール２２２０は上下方向に連通することができる。第２透過窓２２１１は第１レンズ収容ホール２２２０と一体に形成されることができる。すなわち、第２透過窓２２１１は第１レンズ収容ホール２２２０の一部であり得る。この場合、第２透過窓２２１１を通じて第１レンズ部２３００の最上側レンズが突出することができる。
【手続補正１２】
【補正対象書類名】明細書
【補正対象項目名】０２３３
【補正方法】削除
【補正の内容】
【手続補正１３】
【補正対象書類名】明細書
【補正対象項目名】０２３６
【補正方法】変更
【補正の内容】
【０２３６】
上部基板２４１０は、上部回路基板２４１０ａと上部連結基板２４１０ｂを含むことができる。
【手続補正１４】
【補正対象書類名】明細書
【補正対象項目名】０２４７
【補正方法】変更
【補正の内容】
【０２４７】
コアプレート２４３０は上部プレート２４２０の下部に位置してもよい。コアプレート２４３０は上部プレート２４２０と接することができる。コアプレート２４３０は下部プレート２４４０の上部に位置してもよい。コアプレート２４３０は下部プレート２４４０と接することができる。コアプレート２４３０の中央にはキャビティ２４３１が形成されることができる。キャビティ２４３１は第１液体Ｌ１と第２液体Ｌ２を収容することができる。コアプレート２４３０にはコアプレート２４３０の中央に貫設されたキャビティ２４３１が形成されることができる。コアプレート２４３０の表面とキャビティ２４３１の内側面には電極部ａがコーティングされることができる。コアプレート２４３０の上部には上部電極部が配置されることができる。上部電極部は互いに分割された第１〜第４電極部ａ１、ａ２、ａ３、ａ４を含むことができる。キャビティ２４３１の内壁とキャビティ２４３１の内壁からコアプレート２４３０の上部とコアプレート２４３０の下部に伸びた内壁電極部が配置されることができる。内壁電極部は互いに分割された第５〜第８電極部ａ５、ａ６、ａ７、ａ８を含むことができる。上部電極部と内壁電極部はコアプレート２４３０の上部（上面）で断絶されることができる。キャビティ２４３１の内壁の電極部ａに絶縁層ｂがコーティングされることができる。また、コアプレート２４３０の上面においてキャビティ２４３１の周辺の電極部ａに絶縁層ｂがコーティングされることができる。コアプレート２４３０は上部基板２４１０と電気的に連結されることができる。コアプレート２４３０は下部基板２４５０と電気的に連結されることができる。
【手続補正１５】
【補正対象書類名】明細書
【補正対象項目名】０２５４
【補正方法】変更
【補正の内容】
【０２５４】
第５〜第８電極部ａ５、ａ６、ａ７、ａ８のそれぞれのコーナー部は下部基板２４５０の第１〜第４下部コーナー部２４５１、２４５２、２４５３、２４５４のそれぞれと対応（対向）することができる。第５〜第８電極部ａ５、ａ６、ａ７、ａ８のそれぞれのコーナー部に対応（対向）する下部基板２４５０の第１〜第４下部コーナー部２４５１、２４５２、２４５３、２４５４のそれぞれは４個の下部導電部（図示せず）を介して電気的に連結されることができる。この場合、第５電極部ａ５と第１下部コーナー部２４５１は第１下部湾入部２４４１を通る（貫通する）下部導電部を介して電気的に連結されることができる。また、第６電極部ａ６と第２下部コーナー部２４５２は第２下部湾入部２４４２を通る（貫通する）下部導電部を介して電気的に連結されることができる。また、第７電極部ａ７と第３下部コーナー部２４５３は第３下部チャネル２４４３を通る（貫通する）下部導電部を介して電気的に連結されることができる。また、第８電極部ａ８と第４下部コーナー部２４５４は第４下部湾入部２４４４を通る（貫通する）下部導電部を介して電気的に連結されることができる。この場合、下部導電部は伝導性エポキシからなるとか電極パッドであってもよい。その結果、下部基板２４５０によって第５〜第８電極部ａ５、ａ６、ａ７、ａ８に電源が印加されることができる。さらに、第５〜第８電極部ａ５、ａ６、ａ７、ａ８の一部にだけ電源が印加されることができる。また、第５〜第８電極部ａ５、ａ６、ａ７、ａ８に印加される電源の強度、極性は制御されることができる。
【手続補正１６】
【補正対象書類名】明細書
【補正対象項目名】０２５９
【補正方法】変更
【補正の内容】
【０２５９】
下部基板２４５０は液体レンズ２４００の最下側に位置してもよい。下部基板２４５０の上部には下部プレート２４４０が位置してもよい。下部基板２４５０の下面は第２レンズ収容ホール２２３０の下側内壁と接して位置してもよい。下部基板２４５０はコアプレート２４３０と電気的に連結されることができる。下部基板２４５０はメイン基板２７００と電気的に連結されることができる。下部基板２４５０はメイン基板２７００によって制御されて、後述するコアプレート２４３０の第５〜第８電極部ａ５、ａ６、ａ７、ａ８に電源を印加することができる。下部基板２４５０は、第５〜第８電極部ａ５、ａ６、ａ７、ａ８に印加される電流の方向、強度、波長及び電流が印加される位置を変更することができる。
【手続補正１７】
【補正対象書類名】明細書
【補正対象項目名】０２６３
【補正方法】変更
【補正の内容】
【０２６３】
下部回路基板２４５０ａには、反時計方向に第１下部コーナー部２４５１と第２下部コーナー部２４５２と第３下部コーナー部２４５３と第４下部コーナー部２４５４が位置してもよい。下部回路基板２４５０ａの第１〜第４下部コーナー部２４５１、２４５２、２４５３、２４５４はコアプレート２４３０のコーナー部より内側に位置してもよい。すなわち、下部基板２４５０のコーナー部はコアプレート２４３０のコーナー部より内側に位置してもよい。これは、液体レンズ２４００の挿入時、第１〜第４下部コーナー部２４５１、２４５２、２４５３、２４５４と第２レンズ収容ホール２２３０の下側内壁及び側壁との摩擦を最小化するためである。その結果、第１〜第４下部コーナー部２４５１、２４５２、２４５３、２４５４とコアプレート２４３０間の接着が解除されて下部回路基板２４５０ａが剥離される現象を防止することができる。
【手続補正１８】
【補正対象書類名】明細書
【補正対象項目名】０２６５
【補正方法】変更
【補正の内容】
【０２６５】
下部連結基板２４５０ｂはＦＰＣＢ（Ｆｒｅｘｉｂｌｅ  Ｐｒｉｎｔｅｄ  Ｃｉｒｃｕｉｔ  Ｂｏａｒｄ）であってもよい。下部連結基板２４５０ｂは下部回路基板２４５０ａと電気的に連結されることができる。下部連結基板２４５０ｂはメイン基板２７００と電気的に連結されることができる。その結果、メイン基板２７００は下部連結基板２４５０ｂ及び下部回路基板２４５０ａを介して第５〜第８電極部ａ５、ａ６、ａ７、ａ８に電源を印加することができる。
【手続補正１９】
【補正対象書類名】明細書
【補正対象項目名】０２８４
【補正方法】変更
【補正の内容】
【０２８４】
また、上部基板２４１０が４個のパッドを含む上部連結基板２４１０ｂを介して制御部から４個の制御信号を受けることができ、第１〜第４電極部ａ１、ａ２、ａ３、ａ４はそれぞれ独立的に４個の制御信号のいずれか一つを受信することができる。すなわち、第１〜第４電極部ａ１、ａ２、ａ３、ａ４はそれぞれ４個の個別電極を構成することができる。
【手続補正２０】
【補正対象書類名】明細書
【補正対象項目名】０２９８
【補正方法】変更
【補正の内容】
【０２９８】
非伝導性液体Ｌ２はキャビティ２４３１の下部に位置してもよい。非伝導性液体Ｌ２は絶縁部ｂと伝導性液体Ｌ１に接してキャビティ２４３１の下部に収容されることができる。非伝導性液体Ｌ２は無極性を有することができる。例えば、非伝導性液体Ｌ２は油（ｏｉｌ）であってもよい。非伝導性液体Ｌ２はシリコンであってもよい。
【手続補正２１】
【補正対象書類名】明細書
【補正対象項目名】０３０５
【補正方法】変更
【補正の内容】
【０３０５】
本第１及び第２実施例のレンズモジュールの製造方法は、レンズホルダー２２００を成形する第１段階（Ｓ１）と、第１レンズ部２３００を挿入する第２段階（Ｓ２）と、挿入ホール２２３２を通じて液体レンズ２４００を挿入する第３段階（Ｓ３）と、第２レンズ部２５００を挿入する第４段階（Ｓ４）とを含むことができる。
【手続補正２２】
【補正対象書類名】明細書
【補正対象項目名】０３０６
【補正方法】変更
【補正の内容】
【０３０６】
第１段階（Ｓ１）はレンズホルダー２２００を成形する段階である。レンズホルダー２２００はプラスチック射出によって成形することができる。レンズホルダー２２００は、ホール２２１０及び挿入ホール２２３２と対応するホール鋳型（図示せず）が形成されているメイン鋳型（図示せず）に溶融プラスチックを注入してから凝固させる過程で製作することができる。
【手続補正２３】
【補正対象書類名】明細書
【補正対象項目名】０３１２
【補正方法】変更
【補正の内容】
【０３１２】
図３１はカメラモジュールの一実施例を示した図である。カメラモジュールは、レンズアセンブリー３０００及び制御回路３９９９を含むことができる。
【手続補正２４】
【補正対象書類名】明細書
【補正対象項目名】０３１９
【補正方法】変更
【補正の内容】
【０３１９】
ホルダー３５００は上部及び下部が開放して貫通ホールが形成されることができ、第１レンズ部３１００、第２レンズ部３４００及び液体レンズ３３００はホルダー３５００の内部に形成された貫通ホールに装着されることができる。そして、第１及び第２レンズ部３１００、３４００を液体レンズ３３００と区別するために、第１及び第２固体レンズ部と言うこともできる。詳細には、第１レンズ部３１００はホルダー３５００の上部に配置されて結合され、第２レンズ部３４００はホルダー３５００の下部に配置されて結合されることができる。
【手続補正２５】
【補正対象書類名】明細書
【補正対象項目名】０３３１
【補正方法】変更
【補正の内容】
【０３３１】
そして、図示されてはいないが、第２レンズ部３４００の下部にはイメージセンサーなどの受光素子が配置されることができる。受光素子は上述した回路基板３８００と一緒にセンサー基板内に備えられることができる。イメージセンサーの単位ピクセルの横長及び／又は縦長は、例えば２μｍ（マイクロメートル）以下であり得る。
【手続補正２６】
【補正対象書類名】明細書
【補正対象項目名】０３４２
【補正方法】変更
【補正の内容】
【０３４２】
第１液体３３５０と第２液体３３４０には殺菌剤及び酸化防止剤の少なくとも１種をそれぞれ含むことができる。酸化防止剤はフェノール系酸化防止剤又はリン（Ｐ）系酸化防止剤であってもよい。そして、殺菌剤はアルコール系、アルデイト系及びフェノール系のいずれか１種の殺菌剤であってもよい。
【手続補正２７】
【補正対象書類名】明細書
【補正対象項目名】０３４３
【補正方法】変更
【補正の内容】
【０３４３】
第１電極３３５５は第１プレート３３１０の上面一部領域に配置され、第１液体３３５０と直接接触することができる。第２電極３３４５は第１電極３３３５から離隔して配置され、第１プレート３３１０の上面、側面及び下面に配置されることができる。
【手続補正２８】
【補正対象書類名】明細書
【補正対象項目名】０３４８
【補正方法】変更
【補正の内容】
【０３４８】
絶縁層３３６０は、キャビティの底面において第３プレート３３３０の上面と、キャビティの側壁を成す第２電極３３４５と、第１プレート３３１０の上面において第１電極３３５５の一部と、第１プレート３３１０及び第２電極３３４５とを覆うように配置されることができる。絶縁層３３６０は、例えばパリレンＣ（ｐａｒｙｌｅｎｅ  Ｃ）コーティング剤から具現されることができ、白色染料をさらに含むこともできる。白色染料はキャビティの側壁ｉを成す絶縁層３３６０で光が反射される頻度を増加させることができる。
【手続補正２９】
【補正対象書類名】明細書
【補正対象項目名】０３６６
【補正方法】変更
【補正の内容】
【０３６６】
ホルダーは、第１ホールを有する１側面と第１ホールと対面する第２ホールを有する第２側面とをさらに含むことができる。第１レンズ部及び第２レンズ部はホルダー内に配置されることができる。液体レンズは第１レンズ部と第２レンズ部の間に配置され、少なくとも一部が第１ホール及び／又は第２ホールに配置されることができる。第１レンズ部と第２レンズ部の間に配置される液体レンズは第１ホール及び第２ホールを通じてホルダーの側面に突出することができる。光軸方向を基準に、液体レンズの厚さはホルダーの第１ホール及び／又は第２ホールのサイズより小さくてもよい。
【手続補正３０】
【補正対象書類名】明細書
【補正対象項目名】０３６９
【補正方法】変更
【補正の内容】
【０３６９】
液体レンズは第１液体と第２液体が配置されるキャビティを含む第１プレートを含み、第１プレート上に配置される第１電極及び第１プレートの下に配置される第２電極を含むことができる。また、液体レンズは第１電極の上部に配置される第２プレート及び第２電極の下部に配置される第３プレートをさらに含むことができる。第２プレートと第３プレートはそれぞれホルダーとエポキシでボンディングされることができる。
【手続補正３１】
【補正対象書類名】特許請求の範囲
【補正対象項目名】全文
【補正方法】変更
【補正の内容】
【特許請求の範囲】
【請求項１】
第１開口を有する第１側面及び前記第１開口と光軸方向に垂直な方向に対面する第２開口を有する第２側面を含むホルダーと、
前記ホルダー内に配置される第１レンズ部と、
前記ホルダー内に配置される第２レンズ部と、
前記第１レンズ部と前記第２レンズ部の間に配置され、前記ホルダーの前記第１開口及び第２開口内に少なくとも一部が配置される液体レンズとを含み、
前記光軸方向を基準に、前記液体レンズの中心厚さは前記ホルダーの前記第１開口のサイズより小さい、カメラモジュール。
【請求項２】
前記液体レンズは前記第１開口及び前記第２開口の少なくとも一つを通じて挿入され、
前記液体レンズの一部はホルダーの側面に突出する、請求項１に記載のカメラモジュール。
【請求項３】
前記ホルダーは、
前記第１開口と前記第２開口の間に前記液体レンズが配置される第２領域と、
前記第２領域上に前記第１レンズ部が配置される第１領域と、
前記第２領域の下に前記第２レンズ部が配置される第３領域と、を含む、請求項２に記載のカメラモジュール。
【請求項４】
前記ホルダーの側面及び上面の少なくとも一部を覆うカバーをさらに含み、
前記カバーは前記第１開口及び第２開口を覆う、請求項１〜３のいずれか一項に記載のカメラモジュール。
【請求項５】
前記第１開口から前記第２開口に向かう方向に、前記液体レンズの長さは前記第１レンズ部及び第２レンズ部の長さより長い、請求項１〜４のいずれか一項に記載のカメラモジュール。
【請求項６】
前記液体レンズは、
第１液体及び第２液体が配置されるキャビティを含む第１プレートと、
前記第１プレート上に配置される第１電極と、
前記第１プレートの下に配置される第２電極と、を含む、請求項１〜５のいずれか一項に記載のカメラモジュール。
【請求項７】
前記液体レンズは、
前記第１電極の上部に配置される第２プレートと、
前記第２電極の下部に配置される第３プレートとをさらに含み、
前記第２プレートと前記第３プレートはそれぞれ前記ホルダーとエポキシでボンディングされる、請求項６に記載のカメラモジュール。
【請求項８】
前記液体レンズは前記第１レンズ部及び前記第２レンズ部の少なくとも一つのレンズ部から離隔する、請求項１〜５のいずれか一項に記載のカメラモジュール。
【請求項９】
前記第１レンズ部は複数のレンズを含み、
前記第１レンズ部の前記複数のレンズのうち前記液体レンズと最も近接したレンズの前記光軸方向に垂直な方向への長さは、前記第１レンズ部に最も近接した部分の前記キャビティの直径より大きい、請求項６に記載のカメラモジュール。
【請求項１０】
前記第２レンズ部は複数のレンズを含み、
前記第２レンズ部の前記複数のレンズのうち前記液体レンズと最も近接したレンズの前記光軸方向に垂直な方向への長さは、前記第２レンズ部と最も近接した部分の前記キャビティの直径より大きい、請求項６に記載のカメラモジュール。
【請求項１１】
前記第１領域において前記ホルダーの内壁は段差を有し、前記第１レンズ部は前記第１領域の前記段差と接触し、
前記第３領域において前記ホルダーの内壁は段差を有し、前記第２レンズ部は前記第３領域の前記段差と接触する、請求項３に記載のカメラモジュール。
【請求項１２】
請求項１に記載のカメラモジュールと、
ディスプレイモジュールと、
前記カメラモジュール及び前記ディスプレイモジュールを制御する制御部とを含む、光学器機。
【請求項１３】
ホールを含むホルダーと、
前記ホルダー内に配置された第１レンズ部と、
前記ホルダー内に配置された第２レンズ部と、
前記第１レンズ部と前記第２レンズ部の間に配置され、前記ホルダーの前記ホール内に少なくとも一部が配置される液体レンズと、
前記液体レンズ上に配置された連結基板と、
イメージセンサーが配置されるセンサー基板とを含み、
前記連結基板は前記ホールを通じて前記液体レンズと前記センサー基板に電気的に連結され、
前記液体レンズは、
第１プレートと、
前記第１プレート上に配置された第１電極と、
前記第１プレートの下に配置された第２電極とを含み、
前記ホールは第１及び第２ホールを含み、
前記連結基板は第１及び第２連結基板を含み、
前記第１連結基板は前記第１ホールを通じて前記第１電極と前記センサー基板に電気的に連結され、
前記第２連結基板は前記第２ホールを通じて前記第２電極と前記センサー基板に電気的に連結される、カメラモジュール。
【請求項１４】
ホールを含むホルダーと、
前記ホルダー内に配置された第１レンズ部と、
前記ホルダー内に配置された第２レンズ部と、
前記第１レンズ部と前記第２レンズ部の間に配置され、前記ホルダーの前記ホール内に少なくとも一部が配置される液体レンズと、
前記液体レンズ上に配置された連結基板と、
イメージセンサーが配置されるセンサー基板とを含み、
前記連結基板は前記ホールを通じて前記液体レンズと前記センサー基板に電気的に連結され、
前記液体レンズは、
第１プレートと、
前記第１プレート上に配置された第１電極と、
前記第１プレートの下に配置された第２電極とを含み、
前記ホールは第１及び第２ホールを含み、
前記第１ホールは前記第２ホールに対応して配置され、
前記連結基板は、
前記第１電極上に配置された第１連結基板と、
前記第２電極の下に配置された第２連結基板とを含む、カメラモジュール。
【請求項１５】
ホールを含むホルダーと、
前記ホルダー内に配置された第１レンズ部と、
前記ホルダー内に配置された第２レンズ部と、
前記第１レンズ部と前記第２レンズ部の間に配置され、前記ホルダーの前記ホール内に少なくとも一部が配置される液体レンズと、
前記液体レンズ上に配置された連結基板と、
イメージセンサーが配置されるセンサー基板と、
前記センサー基板と前記ホルダーの間に配置されたベースと、
前記ホールの少なくとも一部を覆うカバーとを含み、
前記連結基板は前記ホールを通じて前記液体レンズと前記センサー基板に電気的に連結され、
前記液体レンズは、
第１プレートと、
前記第１プレート上に配置された第１電極と、
前記第１プレートの下に配置された第２電極とを含む、カメラモジュール。
【請求項１６】
前記液体レンズは前記ホールを通じて外側に突出した、請求項１３に記載のカメラモジュール。
【請求項１７】
前記第１ホールが前記第２ホールに向かう方向に、前記液体レンズの長さは前記第１及び第２レンズ部のそれぞれの長さより長い、請求項１３に記載のカメラモジュール。
【請求項１８】
前記第１プレートは第１及び第２液体を収容するキャビティを含む、請求項１３に記載のカメラモジュール。
【請求項１９】
前記液体レンズは、
前記第１電極上に配置された第２プレートと、
前記第２電極の下に配置された第３プレートとをさらに含み、
前記第２プレートと前記第３プレートはエポキシで前記ホルダーにボンディングされる、請求項１３に記載のカメラモジュール。
【請求項２０】
前記液体レンズは前記第１及び第２レンズ部の少なくとも一つから離隔して配置された、請求項１３に記載のカメラモジュール。
【請求項２１】
前記連結基板は、第１部分と、前記第１部分から折り曲げられた第２部分とを含み、
前記連結基板の前記第２部分は前記センサー基板と連結される、請求項１３に記載のカメラモジュール。
【請求項２２】
前記液体レンズの少なくとも一部は前記第１及び第２ホールを通じて前記ホルダーの外側に突出し、
前記液体レンズは前記第１及び第２レンズ部の少なくとも一つから離隔した、請求項１４に記載のカメラモジュール。
【請求項２３】
前記ホルダーの側面の少なくとも一部と前記ホルダーの上面の少なくとも一部を覆うカバーをさらに含み、
前記カバーは前記第１及び第２ホールを覆う、請求項１４に記載のカメラモジュール。
【請求項２４】
前記第１ホールが前記第２ホールに向かう方向に、前記液体レンズの長さは前記第１及び第２レンズ部のそれぞれの長さより長い、請求項１４に記載のカメラモジュール。
【請求項２５】
前記液体レンズは、
前記第１電極上に配置された第２プレートと、
前記第２電極の下に配置された第３プレートとをさらに含み、
前記第２プレートと前記第３プレートは前記エポキシで前記ホルダーにボンディングされ、
前記第１プレートは第１及び第２液体を収容するキャビティを含む、請求項２４に記載のカメラモジュール。
【請求項２６】
前記液体レンズは前記第１及び第２レンズ部の少なくとも一つから離隔して配置された、請求項１４に記載のカメラモジュール。
【請求項２７】
前記キャビティの上部の直径は前記キャビティの下部の直径より小さく、
前記第１液体は伝導性液体であり、前記第２液体は非伝導性液体である、請求項２５に記載のカメラモジュール。
【請求項２８】
前記第１液体は前記第１及び第２電極の一つと直接接する、請求項２５に記載のカメラモジュール。
【請求項２９】
前記カメラモジュールの光軸方向を基準に、前記液体レンズの中心厚さは前記第１又は第２ホールの大きさより小さい、請求項２５に記載のカメラモジュール。
【請求項３０】
前記ホールは第１及び第２ホールを含み、
前記液体レンズの少なくとも一部は前記第１及び第２ホールを通じて前記ホルダーの外側に突出した、請求項１５に記載のカメラモジュール。
【請求項３１】
前記ホールは第１及び第２ホールを含み、
前記ホルダーは、第１側壁と、前記第１側壁と対向する第２側壁とを含み、
前記第１側壁は前記第１ホールを含み、前記第２側壁は前記第１ホールと対向する前記第２ホールを含む、請求項１５に記載のカメラモジュール。
【国際調査報告】
2019515342.tif 000050
2019515342.tif 000051
2019515342.tif 000052
2019515342.tif 000053